(57)【要約】      （修正有）【課題】ワイヤレス・ネットワーク中の端末の測位をサポートするための技法を提供する。【解決手段】ロケーション・サーバ１３０は、共通の測位プロトコルを介してターゲット・デバイス１１０についての測位情報（例えば、測定値）を取得し得る。ロケーション・サーバは、それがどこに属するかにかかわらず、共通の測位プロトコルを使用し得、このプロトコルを介して他のエンティティと通信し得る。ロケーション・サーバは、測位情報に基づいてターゲット・デバイスについてのロケーション情報（例えば、ロケーション推定値）を判断し得る。別の態様では、複数の測位メッセージを一緒にトランスポートすることによって、測位がサポートされ得る。さらに別の態様では、異なる団体によって規定された複数の部分を含んでいる測位メッセージをトランスポートすることによって、測位がサポートされ得る。【選択図】図１
2014098702.tif 000002
【特許請求の範囲】
【請求項１】
ワイヤレス通信のための方法であって、
共通の測位プロトコルを介してロケーション・サーバによってターゲット・デバイスについての測位情報を取得することであって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、取得することと、
前記ロケーション・サーバによって前記ターゲット・デバイスについてのロケーション情報を判断することと、
を備える方法。
【請求項２】
前記測位情報が、少なくとも１つの基準ソースについての測定値を備え、前記ロケーション情報が、前記測定値に基づいて前記ロケーション・サーバによって判断された前記ターゲット・デバイスについてのロケーション推定値を備える請求項１に記載の方法。
【請求項３】
前記測位情報が、前記ターゲット・デバイスのロケーションを示し、前記ロケーション情報が、前記測位情報に基づいて前記ロケーション・サーバによって判断された支援データを備える請求項１に記載の方法。
【請求項４】
前記測位情報が、前記ターゲット・デバイスのロケーションにおいて受信され得る基準ソースの測定値を備え、前記ロケーション情報が、前記測位情報に基づいて前記ロケーション・サーバによって判断された支援データを備える請求項１に記載の方法。
【請求項５】
前記ロケーション情報が支援データを備え、前記測位情報が、前記支援データに基づいて取得された測定値を備える請求項１に記載の方法。
【請求項６】
前記ターゲット・デバイスについての前記測位情報が、少なくとも１つの衛星、又は少なくとも１つの基地局、又は少なくとも１つの端末、又は前記ターゲット・デバイス、又はそれらの組合せからの少なくとも１つの信号についての測定値を備える請求項１に記載の方法。
【請求項７】
前記ロケーション・サーバがネットワーク・エンティティに属する請求項１に記載の方法。
【請求項８】
前記ロケーション・サーバが前記ターゲット・デバイスと共同設置される請求項１に記載の方法。
【請求項９】
前記ターゲット・デバイスについての前記測位情報が、第２の複数の可能なエンティティのうちの１つに属する測位ユニットによって取得され、前記ターゲット・デバイスが、前記第２の複数の可能なエンティティのうちの１つである請求項１に記載の方法。
【請求項１０】
前記共通の測位プロトコルを介して前記ロケーション・サーバによって前記測位ユニットと通信すること、
をさらに備える請求項９に記載の方法。
【請求項１１】
前記共通の測位プロトコルを介して前記測位ユニットと、能力、又は支援データ、又はロケーション情報、又はそれらの組合せを交換すること、
をさらに備える請求項９に記載の方法。
【請求項１２】
ワイヤレス通信のための装置であって、
共通の測位プロトコルを介してロケーション・サーバによってターゲット・デバイスについての測位情報を取得するための手段であって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、取得するための手段と、
前記ロケーション・サーバによって前記ターゲット・デバイスについてのロケーション情報を判断するための手段と、
を備える装置。
【請求項１３】
前記ターゲット・デバイスについての前記測位情報が、第２の複数の可能なエンティティのうちの１つに属する測位ユニットによって取得され、前記ターゲット・デバイスが、前記第２の複数の可能なエンティティのうちの１つである請求項１２に記載の装置。
【請求項１４】
前記共通の測位プロトコルを介して前記測位ユニットと、能力、又は支援データ、又はロケーション情報、又はそれらの組合せを交換するための手段、
をさらに備える請求項１３に記載の装置。
【請求項１５】
ワイヤレス通信のための装置であって、
共通の測位プロトコルを介してロケーション・サーバによってターゲット・デバイスについての測位情報を取得することと、前記ロケーション・サーバによって前記ターゲット・デバイスについてのロケーション情報を判断することとを行うように構成された少なくとも１つの処理ユニットを備え、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである装置。
【請求項１６】
前記ターゲット・デバイスについての前記測位情報が、第２の複数の可能なエンティティのうちの１つに属する測位ユニットによって取得され、前記ターゲット・デバイスが、前記第２の複数の可能なエンティティのうちの１つである請求項１５に記載の装置。
【請求項１７】
前記少なくとも１つの処理ユニットが、前記共通の測位プロトコルを介して前記測位ユニットと、能力、又は支援データ、又はロケーション情報、又はそれらの組合せを交換するように構成された、請求項１６に記載の装置。
【請求項１８】
少なくとも１つのコンピュータに、共通の測位プロトコルを介してロケーション・サーバによってターゲット・デバイスについての測位情報を取得させるコードであって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、コードと、
前記少なくとも１つのコンピュータに、前記ロケーション・サーバによって前記ターゲット・デバイスについてのロケーション情報を判断させるコードと、
を備えるコンピュータ可読媒体。
【請求項１９】
ワイヤレス通信のための方法であって、
共通の測位プロトコルを介してターゲット・デバイスについての測位情報をロケーション・サーバに送ることであって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、送ることと、
前記ロケーション・サーバから前記ターゲット・デバイスについてのロケーション情報を受信することと、
を備える方法。
【請求項２０】
測位情報を前記送ることと、ロケーション情報を前記受信することとが、前記ターゲット・デバイスによって実行される請求項１９に記載の方法。
【請求項２１】
測位情報を前記送ることと、ロケーション情報を前記受信することとが、前記ターゲット・デバイスの外部の測位ユニットによって実行される請求項１９に記載の方法。
【請求項２２】
前記ターゲット・デバイスについての測定値を取得するために、前記ターゲット・デバイスにおいて少なくとも１つの基準ソースからの少なくとも１つの信号を測定することをさらに備え、前記少なくとも１つの基準ソースが、少なくとも１つの衛星、又は少なくとも１つの基地局、又は少なくとも１つの端末、又はそれらの組合せを備え、前記測位情報が前記測定値を備える請求項１９に記載の方法。
【請求項２３】
前記ターゲット・デバイスについての測定値を取得するために、測位ユニットにおいて前記ターゲット・デバイスからの信号を測定することをさらに備え、前記測位ユニットが前記ターゲット・デバイスの外部にあり、前記測位情報が前記測定値を備える、
請求項１９に記載の方法。
【請求項２４】
ワイヤレス通信のための装置であって、
共通の測位プロトコルを介してターゲット・デバイスについての測位情報をロケーション・サーバに送るための手段であって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、送るための手段と、
前記ロケーション・サーバから前記ターゲット・デバイスについてのロケーション情報を受信するための手段と、
を備える装置。
【請求項２５】
前記ターゲット・デバイスについての測定値を取得するために、前記ターゲット・デバイスにおいて少なくとも１つの基準ソースからの少なくとも１つの信号を測定するための手段をさらに備え、前記少なくとも１つの基準ソースが、少なくとも１つの衛星、又は少なくとも１つの基地局、又は少なくとも１つの端末、又はそれらの組合せを備え、前記測位情報が前記測定値を備える請求項２４に記載の装置。
【請求項２６】
前記ターゲット・デバイスについての測定値を取得するために、測位ユニットにおいて前記ターゲット・デバイスからの信号を測定するための手段をさらに備え、前記測位ユニットが前記ターゲット・デバイスの外部にあり、前記測位情報が前記測定値を備える請求項２４に記載の装置。
【請求項２７】
ワイヤレス通信のための方法であって、
１つのメッセージ・トランザクション中で一緒にトランスポートされる複数の測位メッセージを交換することと、
前記複数の測位メッセージに基づいて測位を実行することと、
を備える方法。
【請求項２８】
前記複数の測位メッセージを前記交換することが、リンクされたメッセージとして、又は単一のコンテナ・メッセージ中で前記複数の測位メッセージを送ることを備える請求項２７に記載の方法。
【請求項２９】
前記複数の測位メッセージを前記交換することが、リンクされたメッセージとして、又は単一のコンテナ・メッセージ中で送られた前記複数の測位メッセージを受信することを備える請求項２７に記載の方法。
【請求項３０】
前記複数の測位メッセージが、測位を開始するためにターゲット・デバイスによってモバイル発信型ロケーション要求（ＭＯ−ＬＲ）メッセージを用いて送られる請求項２７に記載の方法。
【請求項３１】
前記複数の測位メッセージが、ロケーション・サーバによって送られ、支援データを搬送する第１の測位メッセージと、ロケーション情報を要求する第２の測位メッセージとを備える請求項２７に記載の方法。
【請求項３２】
前記複数の測位メッセージが、ロケーション・サーバに送られ、支援データを要求する第１の測位メッセージと、測定値を搬送する第２の測位メッセージとを備える請求項２７に記載の方法。
【請求項３３】
前記複数の測位メッセージの各々が複数のメッセージ・タイプのうちの１つであり、前記複数のメッセージ・タイプが、能力要求メッセージ・タイプ、能力提供メッセージ・タイプ、支援データ要求メッセージ・タイプ、支援データ提供メッセージ・タイプ、ロケーション情報要求メッセージ・タイプ、及びロケーション情報提供メッセージ・タイプを備える請求項２７に記載の方法。
【請求項３４】
前記複数の測位メッセージが、少なくとも２つのメッセージ・タイプの測位メッセージを備える請求項２７に記載の方法。
【請求項３５】
ワイヤレス通信のための装置であって、
１つのメッセージ・トランザクション中で一緒にトランスポートされる複数の測位メッセージを交換するための手段と、
前記複数の測位メッセージに基づいて測位を実行するための手段と、
を備える装置。
【請求項３６】
前記複数の測位メッセージを交換するための前記手段が、リンクされたメッセージとして、又は単一のコンテナ・メッセージ中で前記複数の測位メッセージを送るための手段を備える請求項３５に記載の装置。
【請求項３７】
前記複数の測位メッセージを交換するための前記手段が、リンクされたメッセージとして、又は単一のコンテナ・メッセージ中で送られた前記複数の測位メッセージを受信するための手段を備える請求項３５に記載の装置。
【請求項３８】
前記複数の測位メッセージが、測位を開始するためにターゲット・デバイスによってモバイル発信型ロケーション要求（ＭＯ−ＬＲ）メッセージを用いて送られる請求項３５に記載の装置。
【請求項３９】
ワイヤレス通信のための方法であって、
特定のトランザクション・タイプについての第１の部分と第２の部分とを備える測位メッセージを交換することであって、前記第１の部分が、第１の団体によって規定された測位のための第１の情報を備え、前記第２の部分が、第２の団体によって規定された測位のための第２の情報を備える、交換することと、
前記測位メッセージに基づいて測位を実行することと、
を備える方法。
【請求項４０】
前記測位メッセージを前記交換することが、ターゲット・デバイスからロケーション・サーバに、又は前記ロケーション・サーバから前記ターゲット・デバイスに前記測位メッセージを送ることを備える請求項３９に記載の方法。
【請求項４１】
前記測位メッセージを前記交換することが、ターゲット・デバイスからの前記測位メッセージをロケーション・サーバによって、又は前記ロケーション・サーバからの前記測位メッセージを前記ターゲット・デバイスによって受信することを備える請求項３９に記載の方法。
【請求項４２】
前記第１の団体が、「3rd Generation Partnership Project」（３ＧＰＰ）を備え、前記第２の団体が、「3rd Generation Partnership Project 2」（３ＧＰＰ２）、又はオープン・モバイル・アライアンス（ＯＭＡ）、又はInternet Engineering Task Force（ＩＥＴＦ）、又は米国電気電子技術者協会（ＩＥＥＥ）、又はネットワーク事業者、又は機器ベンダを備える請求項３９に記載の方法。
【請求項４３】
ワイヤレス通信のための装置であって、
特定のトランザクション・タイプについての第１の部分と第２の部分とを備える測位メッセージを交換するための手段であって、前記第１の部分が、第１の団体によって規定された測位のための第１の情報を備え、前記第２の部分が、第２の団体によって規定された測位のための第２の情報を備える、交換するための手段と、
前記測位メッセージに基づいて測位を実行するための手段と
を備える装置。
【請求項４４】
前記測位メッセージを交換するための前記手段が、ターゲット・デバイスからロケーション・サーバに、又は前記ロケーション・サーバから前記ターゲット・デバイスに前記測位メッセージを送るための手段を備える請求項４３に記載の装置。
【請求項４５】
前記測位メッセージを交換ための前記手段が、ターゲット・デバイスからの前記測位メッセージをロケーション・サーバによって、又は前記ロケーション・サーバからの前記測位メッセージを前記ターゲット・デバイスによって受信するための手段を備える請求項４３に記載の装置。
【請求項４６】
ワイヤレス通信のための方法であって、
複数の測位方法に適用可能な測定データ単位を交換することであって、前記複数の測位方法の各々が、適用可能な測定データ単位の異なるセットに関連する、交換することと、
前記交換された測定データ単位に基づき、測位方法に従って測位を実行することであって、前記測位方法が前記複数の測位方法のうちの１つである、実行することと、
を備える方法。
【請求項４７】
ワイヤレス通信のための方法であって、
複数の測位方法に適用可能な支援データ単位を交換することであって、前記複数の測位方法の各々が、適用可能な支援データ単位の異なるセットに関連する、交換することと、
前記交換された支援データ単位に基づき、測位方法に従って測位を実行することであって、前記測位方法が前記複数の測位方法のうちの１つである、実行することと、
を備える方法。
【発明の詳細な説明】
【技術分野】
【０００１】
本開示は、一般に通信に関し、より詳細には、ワイヤレス・ネットワーク中の端末の測位をサポートするための技法に関する。
【０００２】
米国特許法第１１９条に基づく優先権の主張
本特許出願は、以下の仮米国出願の優先権を主張する。
【０００３】
・２００９年４月２１日に出願された「LPP Generic Capabilities」と題する特許出願第６１／１７１，３９８号、
・２００９年４月２５日に出願された「LPP Stage 2」と題する特許出願第６１／１７２，７１９号、
・２００９年６月２０日に出願された「LPP」と題する特許出願第６１／２１８，９２９号、
・２００９年８月１５日に出願された「LPP」と題する特許出願第６１／２３４，２８２号、及び
・２００９年９月３０日に出願された「LPP」と題する特許出願第６１／２４７，３６３号。上記の出願のいずれも、本出願の譲受人に譲渡され、参照により本明細書に明確に組み込まれる。
【背景技術】
【０００４】
端末、例えば、セルラー電話のロケーションを知ることがしばしば望ましく、時々必要になる。「ロケーション」と「位置」という用語は同義であり、本明細書では互換的に使用される。例えば、ロケーション・サービス（ＬＣＳ）・クライアントは、端末のロケーションを知ることを望むことがあり、端末のロケーションを要求するためにネットワークサーバと通信することがある。次いで、ネットワークサーバと端末とは、端末についてのロケーション推定値を取得するために、必要に応じて、メッセージを交換し得る。次いで、ネットワークサーバは、ロケーション推定値をＬＣＳクライアントに戻し得る。
【０００５】
異なる端末は、異なるシナリオにおいて動作し、測位に関する異なる能力を有し得る。測位とは、ターゲット端末の地理的ロケーションを判断する機能を指す。異なる能力をもつ端末の測位をフレキシブルにサポートすることが望ましいことがある。
【発明の概要】
【０００６】
本明細書では、ワイヤレス・ネットワーク中の端末の測位をサポートするための技法について説明する。一態様では、異なるエンティティに属することができるロケーション・サーバによって、測位がサポートされ得る。１つの設計では、ロケーション・サーバは、共通の測位プロトコルを介してターゲット・デバイスについての測位情報（例えば、測定値、粗いロケーション推定値など）を取得し得る。ロケーション・サーバは、ネットワーク・エンティティに属するか、又はターゲット・デバイスと共同設置され得る（例えば、ターゲット・デバイスの一部であり得る）。ロケーション・サーバは、それがどこに属するかにかかわらず、共通の測位プロトコルを使用し得、共通の測位プロトコルを介して他のエンティティと通信し得る。ロケーション・サーバは、測位情報に基づいてターゲット・デバイスのロケーション情報（例えば、支援データ、ロケーション推定値など）を判断し得る。
【０００７】
別の態様では、複数の測位メッセージを一緒にトランスポートすることによって、測位がサポートされ得、それにより効率を改善し、遅延を低減し得る。１つの設計では、エンティティ（例えば、ロケーション・サーバ、測位ユニット、又はターゲット・デバイス）は、１つのメッセージ・トランザクション中で一緒にトランスポートされる複数の測位メッセージを交換し得る（例えば、送る又は受信し得る）。複数の測位メッセージは、リンクされたメッセージとして、又は単一のコンテナ・メッセージ中で送られ得る。エンティティは、複数の測位メッセージに基づいて測位を実行し得る。
【０００８】
さらに別の態様では、異なる団体によって規定された複数の部分を含んでいる測位メッセージをトランスポートすることによって、測位がサポートされ得る。１つの設計では、エンティティは、特定のトランザクション・タイプについての第１の部分と第２の部分とを備える測位メッセージを交換し得る。第１の部分は、第１の団体によって規定された測位についての第１の情報を含み、第２の部分は、第２の団体によって規定された測位についての第２の情報を含み得る。エンティティは、測位メッセージに基づいて測位を実行し得る。例えば、エンティティは、第１の部分中の第１の情報（例えば、測定値）、ならびに第２の部分中の第２の情報（例えば、それ以外の測定値、又は粗いロケーション推定値）に基づいて、ロケーション推定値を判断し得る。
【０００９】
さらに別の態様では、異なる測位方法に適用可能であり得る共有測定データ単位及び／又は共有支援データ単位を用いて、測位がサポートされ得る。１つの設計では、エンティティは、第１の複数の測位方法に適用可能な測定データ単位を交換し得る。第１の複数の測位方法の各々は、適用可能な測定データ単位の異なるセットに関連し得る。エンティティは、交換された測定データ単位に基づき、第１の複数の測位方法の１つであり得る測位方法に従って測位を実行し得る。代替又は追加として、エンティティは、第２の複数の測位方法に適用可能な支援データ単位を交換し得る。第２の複数の測位方法の各々は、適用可能な支援データ単位の異なるセットに関連し得る。エンティティは、交換された支援データ単位に基づき、第２の複数の測位方法の１つであり得る測位方法に従って測位を実行し得る。
【００１０】
本開示の様々な態様及び特徴について以下でさらに詳細に説明する。
【図面の簡単な説明】
【００１１】
【図１】測位をサポートする例示的な展開の図。
【図２Ａ】端末支援型及び端末ベースの測位方法をサポートする構成を示す図。
【図２Ｂ】ネットワーク・ベースの測位方法をサポートする構成を示す図。
【図２Ｃ】ピアツーピア測位をサポートする構成を示す図。
【図２Ｄ】ピアツーピア測位をサポートする構成を示す図。
【図３】測位プロトコルについての階層構造を示す図。
【図４Ａ】測位メッセージの設計を示す図。
【図４Ｂ】異なる団体によって規定された複数の部分をもつ測位メッセージの設計を示す図。
【図５】モバイル発信型ロケーション要求サービスのためのメッセージフローを示す図。
【図６】複数のトランザクションを用いたロケーション・セッションのためのメッセージフローを示す図。
【図７】測位をサポートするための様々なプロセスを示す図。
【図８】測位をサポートするための様々なプロセスを示す図。
【図９】測位をサポートするための様々なプロセスを示す図。
【図１０】測位をサポートするための様々なプロセスを示す図。
【図１１】測位をサポートするための様々なプロセスを示す図。
【図１２】ターゲット・デバイス、基地局、及びロケーション・サーバのブロック図。
【発明を実施するための形態】
【００１２】
図１に、測位をサポートする例示的な展開１００の図を示す。ターゲット・デバイス（ＴＤ）１１０は、そのロケーションが判断されるべきエンティティである。ターゲット・デバイス１１０は、固定でも移動でもよく、端末、移動局、ユーザ機器（ＵＥ）、アクセス端末、オープン・モバイル・アライアンス（ＯＭＡ）からのセキュア・ユーザ・プレーン・ロケーション（ＳＵＰＬ）におけるＳＵＰＬ対応端末（ＳＥＴ）、加入者ユニット、局などと呼ばれることもある。ターゲット・デバイス１１０は、セルラー電話、携帯情報端末（ＰＤＡ）、ワイヤレス・デバイス、ワイヤレス・モデム、ワイヤレス・ルータ、ラップトップ・コンピュータ、テレメトリ・デバイス、トラッキング・デバイスなどであり得る。ターゲット・デバイス１１０は、ワイヤレス・ネットワーク中の１つ又は複数の基地局と通信し得る。ターゲット・デバイス１１０はまた、他の端末とピアツーピアに通信し得る。
【００１３】
基準ソース（ＲＳ）１４０は、測位をサポートするために測定され得る信号（例えば、無線信号）を送信するエンティティである。基準ソース１４０は、米国のGlobal Positioning System（ＧＰＳ）、欧州のＧａｌｉｌｅｏシステム、ロシアのＧＬＯＮＡＳＳシステム、又は何らかの他の衛星測位システム（ＳＰＳ）であり得る、ＳＰＳにおける衛星であり得る。基準ソース１４０はまた、ワイヤレス・ネットワーク中の基地局でもよい。基地局は、アクセスポイント、ノードＢ、進化型ノードＢ（ｅＮＢ）などと呼ばれることもある。ワイヤレス・ネットワークは、Global System for Mobile Communications（ＧＳＭ（登録商標））ネットワーク、Wideband Code Division Multiple Access（ＷＣＤＭＡ（登録商標））ネットワーク、General Packet Radio Service（ＧＰＲＳ）アクセスネットワーク、Long Term Evolution（ＬＴＥ）ネットワーク、ＣＤＭＡ  １Ｘネットワーク、High Rate Packet Data（ＨＲＰＤ）ネットワーク、Ultra Mobile Broadband（ＵＭＢ）ネットワーク、wireless local area network（ＷＬＡＮ）であり得る。ＧＳＭ、ＷＣＤＭＡ、ＧＰＲＳ、及びＬＴＥは、「3rd Generation Partnership Project」（３ＧＰＰ）という名称の団体によって規定された異なる無線技術である。ＣＤＭＡ  １Ｘ、ＨＲＰＤ及びＵＭＢは、「3rd Generation Partnership Project 2」（３ＧＰＰ２）という名称の団体によって規定された異なる無線技術である。基準ソース１４０はまた、テレビジョンネットワーク、デジタルブロードキャストネットワークなどであり得る、ブロードキャストネットワーク中の放送局でもよい。基準ソース１４０はまた、端末、例えば、ターゲット・デバイス１１０の一部でもよい。概して、ターゲット・デバイス１１０のロケーションを判断するために、１つ又は複数の基準ソースからの１つ又は複数の信号が測定され得る。簡単のために、図１には、ただ１つの基準ソース１４０を示してある。基準ソースのロケーションは、知られているか又は
把握されているとすることができ、ターゲット・デバイス１１０の測位のために使用され得る。
【００１４】
測位ユニット（ＰＵ）１２０は、基準ソース１４０など、１つ又は複数の基準ソースからの信号を測定することができるエンティティである。測位ユニット１２０はまた、測位ユニット１２０によって取得された測定値に基づいてターゲット・デバイス１１０についてのロケーション推定値を計算することが可能であり得る。測位ユニット１２０は、ターゲット・デバイス１１０の一部、又は別個のデバイス、又は何らかの他のエンティティの一部であり得る。他のエンティティは、ワイヤレス・ネットワーク中の別の端末、基地局、専用のロケーション測定ユニット（ＬＭＵ）などであり得る。
【００１５】
ロケーション・サーバ（ＬＳ）１３０は、ターゲット・デバイスについての測位情報を受信し、ターゲット・デバイスについてのロケーション情報を判断することができるエンティティである。概して、測位情報は、測位をサポートするために使用される情報であり得る。例えば、測位情報は、測定値、粗いロケーション推定値などを備え得る。ロケーション情報は、ターゲット・デバイスのロケーションに関係する情報であり得る。例えば、ロケーション情報は、測位のための信号の測定値を作成するための支援データ、ターゲット・デバイスについての最終ロケーション推定値などを備え得る。ロケーション・サーバ１３０は、測位ユニット１２０と通信し、測位ユニット１２０から測位情報を受信し、ロケーション情報（例えば、支援データ）を測位ユニット１２０に提供し得る。ロケーション・サーバ１３０はまた、測位ユニット１２０から受信した測定値に基づいてターゲット・デバイス１１０についてのロケーション推定値を計算し、ロケーション推定値を測位ユニット１２０に提供し得る。ロケーション・サーバ１３０は、複数のエンティティのうちのいずれか１つに属し得る。例えば、ロケーション・サーバ１３０は、サービングモバイルロケーションセンター（ＳＭＬＣ）、スタンドアロンＳＭＬＣ（ＳＡＳ）、Evolved SMLC（Ｅ−ＳＭＬＣ）、SUPL Location Platform（ＳＬＰ）、位置判断エンティティ（ＰＤＥ）などであり得る。ロケーション・サーバ１３０はまた、端末、例えば、ターゲット・デバイス１１０の一部でもよい。１つの設計では、ロケーション・サーバ１３０は、ロケーション・サーバ１３０がどこに属するかにかかわらず、共通の測位プロトコルを介して他のエンティティ（例えば、測位ユニット１２０）と通信し得る。共通の測位プロトコルは、ＬＴＥ又は何らかの他の測位プロトコルにおいて使用されるＬＴＥ測位プロトコル（ＬＰＰ）であり得る。
【００１６】
図１に、ターゲット・デバイス１１０の測位をサポートすることができる４つの一般的なエンティティを示す。様々な構成が図１に示すエンティティによってサポートされ得る。１つの設計では、ターゲット・デバイス１１０と測位ユニット１２０とが共同設置され得る。この設計では、ターゲット・デバイス１１０は、ターゲット・デバイス１１０の測位のために、１つ又は複数の基準ソースからの１つ又は複数の信号を測定し得る。別の設計では、ターゲット・デバイス１１０と基準ソース１４０とが共同設置され得る。この設計では、ターゲット・デバイス１１０は、ターゲット・デバイスの測位のために測定され、使用され得る信号を送信し得る。さらに別の設計では、ターゲット・デバイス１１０は、ロケーション・サーバ１３０と共同設置され得る。この設計では、ターゲット・デバイス１１０は、測位ユニット１２０から測定値を受信し、測定値に基づいてターゲット・デバイス１１０の測位を実行し得る。概して、ターゲット・デバイス１１０は、他の信号を測定するか、又はそれ自体の信号を測定させるために、測位ユニット１２０及び／又は基準ソース１４０をサポートし得る。他の構成も図１に示すエンティティによってサポートされ得る。例えば、測位ユニット１２０とロケーション・サーバ１３０とが共同設置され得る。別の例として、基準ソース１４０とロケーション・サーバ１３０とが共同設置され得る。
【００１７】
図２Ａに、端末支援型及び端末ベースの測位方法をサポートする構成を示す。この構成では、測位ユニット１２０は、ターゲット・デバイス１１０と共同設置される。測位ユニット１２０は、衛星１４０ａ、基地局１４０ｂなど、基準ソースからの信号を測定し得る。測位ユニット１２０は、測定値及び／又は他の情報（例えば、粗い又は精細なロケーション推定値）をロケーション・サーバ１３０に送り得る。ロケーション・サーバ１３０は、ロケーション情報（例えば、支援データ）を判断し、（例えば、測位ユニット１２０が、信号を測定し、場合によってはロケーション推定値を取得することを支援するために）ロケーション情報を測位ユニット１２０に送り得る。ロケーション・サーバ１３０はまた、測位ユニット１２０から受信した測定値及び／又は他の情報に基づいて、ターゲット・デバイス１１０についてのロケーション推定値を判断し得る。ロケーション・サーバ１３０は、何らかの外部クライアント（図２Ａに図示せず）及び／又はターゲット・デバイス１１０にロケーション推定値を転送し得る。図２Ａの構成は、支援型ＧＮＳＳ（Ａ−ＧＮＳＳ）、観測時間差（ＯＴＤ）、拡張観測時間差（Ｅ−ＯＴＤ）、観測到達時間差（ＯＴＤＯＡ）、アドバンスト・フォワード・リンク・トライラテレーション（Ａ−ＦＬＴ）などの端末支援型及び端末ベースの測位方法のために使用され得る。
【００１８】
図２Ｂに、ネットワーク・ベースの測位方法をサポートする構成を示す。この構成では、基準ソース１４０はターゲット・デバイス１１０と共同設置され、測位ユニット１２０はターゲット・デバイス１１０の外部にある。測位ユニット１２０は、ターゲット・デバイス１１０からの信号を測定し得る。測位ユニット１２０はまた、他の基準ソース（図２Ｂに図示せず）についてのターゲット・デバイス１１０によって作成された測定値を受信し得る。ターゲット・デバイス１１０からの測定値は、ターゲット・デバイス１１０のハンドオーバをサポートするために、及び／又は他の目的のために使用され得る。測位ユニット１２０は、測定値及び／又は他の情報をロケーション・サーバ１３０に送り得る。ロケーション・サーバ１３０は、ロケーション情報（例えば、支援データ）を判断し、（例えば、測位ユニット１２０が、基準ソース１４０からの信号を測定することを支援するために）測位ユニット１２０にロケーション情報を送り得る。ロケーション・サーバ１３０はまた、測位ユニット１２０から受信した測定値及び／又は他の情報に基づいて、ターゲット・デバイス１１０についてのロケーション推定値を判断し得る。ロケーション・サーバ１３０は、何らかの外部クライアント（図２Ｂに図示せず）及び／又はターゲット・デバイス１１０にロケーション推定値を転送し得る。図２Ｂの構成は、拡張セル識別情報（Ｅ−ＣＩＤ）、アップリンク到達時間差（Ｕ−ＴＤＯＡ）などのネットワーク・ベースの測位方法のために使用され得る。
【００１９】
簡単のために、図２Ａ及び図２Ｂには、１つの測位ユニット１２０、及び１つ又は複数の基準ソース１４０を示してある。概して、任意の数の測位ユニットが、任意の数の基準ソースからの信号を測定し、それらの測定値をロケーション・サーバ１３０に送り得る。ターゲット・デバイス１１０は、何らかの測定値のための基準ソースとして、及び／又は他の測定値のための測位ユニットとして働き得る。
【００２０】
図２Ａ及び図２Ｂは、非ピアツーピア（Ｐ２Ｐ）測位をサポートする２つの構成を示す。基準ソース１４０、測位ユニット１２０、及びロケーション・サーバ１３０が、ターゲット・デバイス１１０でない端末と共同設置されない（例えば、その一部でない）とき、非Ｐ２Ｐ測位が行われ得る。非Ｐ２Ｐ測位の場合、ロケーション・サーバ１３０は、ネットワーク・エンティティであるか又はターゲット・デバイス１１０の一部であり、測位ユニット１２０は、ターゲット・デバイス１１０又はネットワーク・エンティティのいずれかの一部であり、基準ソース１４０は、ターゲット・デバイス１１０又は外部エンティティ（例えば、衛星、基地局、放送局など）のいずれかの一部であり得る。
【００２１】
１つの設計では、図１に示すエンティティによってＰ２Ｐ測位がサポートされ得る。Ｐ２Ｐ測位は、ターゲット・デバイス１１０の役割を担う第２の端末を測位するのを助けるために、第１の端末が、ロケーション・サーバ１３０、又は測位ユニット１２０、又は基準ソース１４０、又はそれらの任意の組合せの役割を担うときに行われ得る。ロケーション・サーバ１３０、測位ユニット１２０、及び基準ソース１４０がどこに属するか、又は第１の端末もしくは第２の端末のいずれがロケーション・サーバ、測位ユニット、及び基準ソースの各々の役割を担うかに応じて、異なるタイプのＰ２Ｐ測位がサポートされ得る。
【００２２】
図２Ｃに、Ｐ２Ｐ測位をサポートする構成を示す。この構成では、第１の端末１０２が、ターゲット・デバイス１１０であり、また、ロケーション・サーバ１３０及び基準ソース１４０の役割を担う。第２の端末１０４が、第１の端末１０２とピアツーピアに通信し、測位ユニット１２０の役割を担う。端末１０４中の測位ユニット１２０は、端末１０２中の基準ソース１４０からの信号を測定し、測定値及び場合によっては他の情報を端末１０２中のロケーション・サーバ１３０に送り得る。ロケーション・サーバ１３０は、ロケーション情報（例えば、支援データ）を判断し、（例えば、測位ユニット１２０が、基準ソース１４０からの信号を測定することを支援するために）測位ユニット１２０にロケーション情報を送り得る。ロケーション・サーバ１３０はまた、測位ユニット１２０から受信した測定値及び／又は他の情報に基づいて、ターゲット・デバイス１１０についてのロケーション推定値を判断し得る。ロケーション・サーバ１３０は、何らかの外部クライアント（図２Ｃに図示せず）にロケーション推定値を転送し、及び／又はターゲット・デバイス１１０中の何らかのエンティティ（例えば、アプリケーション）にロケーション推定値を受け渡し得る。
【００２３】
簡単のために、図２Ｃには、１つのピア端末１０４と通信する端末１０２を示してある。概して、端末１０２は、任意の数のピア端末と通信し、１つ又は複数のピア端末に測定値を要求し得る。各ピア端末は、測位ユニットとして働き、端末１０２からの信号を測定し得る。各ピア端末は、測定値及びそのロケーションを端末１０２に送り得る。端末１０２のロケーションは、すべてのピア端末からの測定値と、それらの報告されたロケーションとに基づいて判断され得る。
【００２４】
図２Ｄに、Ｐ２Ｐ測位をサポートする別の構成を示す。この構成では、第１の端末１０６は、ターゲット・デバイス１１０であり、また、測位ユニット１２０及びロケーション・サーバ１３０の役割を担う。第２の端末１０８は、第１の端末１０６とピアツーピアに通信し、基準ソース１４０の役割を担う。端末１０６中の測位ユニット１２０は、端末１０８中の基準ソース１４０からの信号を測定し、測定値及び／又は他の情報を端末１０６中のロケーション・サーバ１３０に送り得る。ロケーション・サーバ１３０はまた、端末１０８のロケーションを受信し得る。ロケーション・サーバ１３０は、ロケーション情報（例えば、支援データ）を判断し、（端末１０８における、例えば、測位ユニット１２０が、基準ソース１４０からの信号を測定することを支援するために、）測位ユニット１２０にロケーション情報を転送し得る。ロケーション・サーバ１３０は、また、測位ユニット１２０から受信した測定値及び／又は他の情報に基づいて、ターゲット・デバイス１１０についてのロケーション推定値を判断し得る。ロケーション・サーバ１３０は、何らかの外部クライアント（図２Ｄに図示せず）にロケーション推定値を転送し、及び／又はターゲット・デバイス１１０中の何らかのエンティティ（例えば、アプリケーション）にロケーション推定値を受け渡し得る。
【００２５】
簡単のために、図２Ｄには、１つのピア端末１０８と通信する端末１０６を示してある。概して、端末１０６は、任意の数のピア端末と通信し、１つ又は複数のピア端末についての測定値を作成し得る。各ピア端末は、端末１０６によって信号が測定され得る基準ソースとして働き得る。各ピア端末は、そのロケーションを端末１０６に送り得る。端末１０６のロケーションは、すべてのピア端末についての測定値と、それらの報告されたロケーションとに基づいて判断され得る。
【００２６】
Ｐ２Ｐ測位の場合、測位ユニット１２０及びロケーション・サーバ１３０の役割が、異なる端末によって担われ得る。曖昧さを回避するために、ロケーション・トランザクションを開始する端末は、トランザクションのどの終端／末端がロケーション・サーバ及び測位ユニットの各々の役割を担うことになるかを指定し得る。次いで、各端末は、開始する端末によって指定された役割を担い得る。
【００２７】
上記で説明したように、Ｐ２Ｐ測位は、端末を測位するために使用され得る。Ｐ２Ｐ測位はまた、フェムトセルのアクセスポイントを測位するのを助けるために使用され得、フェムトセルはホームノードＢ（ＨＮＢ）、ホームｅＮＢ（ＨｅＮＢ）などと呼ばれることもある。この場合、アクセスポイントは端末のように扱われ得る。
【００２８】
１つの設計では、ターゲット・デバイスの測位をサポートするために、一般的な測位方法（ＧＰＭ）が使用され得る。一般的な測位方法は、同じタイプの測定値及びロケーション計算プロシージャを使用する異なるタイプの基準ソースを用いてターゲット・デバイスの測位をサポートする測位方法である。
【００２９】
表１に、サポートされ得るいくつかの一般的な測位方法を記載し、一般的な測位方法ごとに短い説明を与える。
【表１】
2014098702.tif 000003
【００３０】
また、セルＩＤ又はＷＬＡＮベースの測位をサポートするために、特定の基準ソースからの信号の測定なしに、その基準ソースの存在を検出することが、表１に記載されている１つ又は複数の一般的な測位方法に含まれ得る。例えば、精度を改善するために、一般的な測位方法の組合せも測位に使用され得る。
【００３１】
１つの設計では、測位方法クラス（ＰＭＣ）のセットが定義され得る。ＰＭＣは、１つ又は複数の一般的な測位方法を所与のタイプの基準ソースに適用することによって定義される測位方法のセットを含み得る。異なるタイプの基準ソースが測位のために使用され、ＬＴＥ  ｅＮＢ、ＬＴＥ対応端末、ＣＤＭＡ  １Ｘ基地局、１ｘ対応端末などを含み得る。所与のタイプの基準ソースの場合、１つ又は複数の一般的な測位方法をこの基準ソースに適用することによって、１つ又は複数の特定の測位方法が定義され得る。例えば、ダウンリンク時間差ベースのＧＰＭをＧＰＳ基準ソースに適用することによってＡ−ＧＰＳが取得され、アップリンク時間差ベースのＧＰＭをＧＳＭ基準ソースに適用することによってＵ−ＴＤＯＡが取得され、方向ベースの及び／又はＲＦパターンマッチングＧＰＭをＬＴＥ基準ソースに適用することによってＥ−ＣＩＤが取得されるなどがあり得る。
【００３２】
各ＰＭＣは、１つ又は複数の測位方法を含み得る。各ＰＭＣ中の測位方法は、同じタイプの基準ソースの測定値を採用するので、それらの測位方法は関連し得る。これらの測定値は重複することがあり、同じ測定値はＰＭＣ内の異なる測位方法に使用可能であり得る。同じＰＭＣ中の測位方法のための測定値及び／又はロケーション計算を可能にするために使用される支援データも重複し得る（例えば、測定値も重複する場合）。重複する測定値及び支援データは、測定値及び支援データの低減されたセットを使用してＰＭＣ内のいくつかの測位方法をより効率的にサポートするために使用され得る。例えば、複数の測位方法に適用される測定値及び支援データは、各測位方法に対してではなく、１回のみ転送され得る。
【００３３】
図３に、ロケーション・サーバ１３０によって使用され得る測位プロトコルについての階層構造３００を示す。測位プロトコルは、上記で説明した異なるタイプの基準ソースに対して定義され得るＰＭＣのセットをサポートし得る。各ＰＭＣは、特定のタイプの基準ソースに対して定義された１つ又は複数の測位方法のセットを含み得る。例えば、Ａ−ＧＮＳＳ  ＰＭＣは、Ａ−ＧＰＳ及びＡ−Ｇａｌｉｌｅｏ測位方法を含み、ダウンリンクＬＴＥ  ＰＭＣは、ＯＴＤＯＡ及びＥ−ＣＩＤ測位方法を含み、アップリンクＬＴＥ  ＰＭＣは、Ｅ−ＣＩＤ測位方法を含むなどがあり得る。ダウンリンクＷＣＤＭＡ、アップリンクＷＣＤＭＡ、ダウンリンクＣＤＭＡ  １Ｘ、アップリンクＣＤＭＡ  １Ｘ、ダウンリンクＷｉＭＡＸ、アップリンクＷｉＭＡＸ、８０２．１１Ｗｉ−Ｆｉ、センサなどに対して、他のＰＭＣが定義され得る。
【００３４】
測位方法（ＰＭ）は、ターゲット・デバイスのロケーションを判断するために使用され、特定の一般的な測位方法及び／又は特定の基準ソースタイプに関連し得る。各測位方法は、そのＰＭＣに適用可能なすべての測定値及び支援データのすべて又はサブセットをサポートし得る。所与の測位方法によってサポートされる測定値及び支援データのセットは、その測位方法をサポートする任意の測位ユニット又はロケーション・サーバに必須であるか、又は随意であるか、又は条件付きであり得る。
【００３５】
所与のＰＭＣをサポートする測位ユニット又はロケーション・サーバは、そのＰＭＣ中の少なくとも１つの測位方法をサポートし得る。所与の測位方法をサポートする測位ユニット又はロケーション・サーバは、その測位方法のためのすべての必須の（場合によっては随意及び／又は条件付きである）測定値及び支援データをサポートし得る。
【００３６】
１つの設計では、すべてのサポートされる測位方法に対して測定データ単位（ＭＤＵ）のセットが定義され得る。ＭＤＵは、測定値及びそれらの属性を報告するために使用され得るデータの１つ又は複数の項目の集合であり得る。ＭＤＵは、特定のＰＭＣ内の１つ又は複数の測位方法に適用可能であり得る。ＭＤＵは、複数の測位方法に適用され、測定データをこれらの測位方法に提供するために、（測位方法ごとに個別にではなく）１回で効率的に送られ得る。例えば、図３中のＭＤＵ２は、測位方法ＰＭａ及びＰＭｂに適用され、これらの２つの測位方法に対して１回送られ得る。ＭＤＵは、１つの基準ソースに適用され、例えば、複数の衛星の擬似距離、複数の基地局のタイミング差などを提供するか又は要求するために、同じタイプの複数の基準ソースに対して繰り返され得る。
【００３７】
ＭＤＵは、例えば、ロケーション・サーバ又は測位ユニットがどのＭＤＵをサポートするかの観点から、ロケーション・サーバ及び測位ユニットの能力が定義されることを可能にし得る。ＭＤＵはまた、フレキシブルな正確な方法で、ロケーション・サーバ１３０が測定データを要求し、測位ユニット１２０が測定データを提供することを可能にし得る。ロケーション・サーバ１３０は、測位ユニット１２０にＭＤＵを要求するときに、ＭＤＵのいくつかの特性（例えば、精度及び応答時間）を示し得る。測位ユニット１２０は、（例えば、その能力によって）提供することが可能であるＭＤＵの特性（例えば、精度）を示し得る。
【００３８】
１つの設計では、すべてのサポートされる測位方法に対して支援データ単位（ＡＤＵ）のセットが定義され得る。ＡＤＵは、測定を支援するために使用され得るデータの１つ又は複数の項目の集合であり得る。ＡＤＵは、特定のＰＭＣ内の１つ又は複数の測位方法に適用可能であり得る。ＡＤＵは、複数の測位方法に適用され、支援データをこれらの測位方法に提供するために、（測位方法ごとに個別にではなく）１回で効率的に送られ得る。例えば、図３中のＡＤＵｄは、測位方法ＰＭｄ及びＰＭｅに適用され、これらの２つの測位方法に対して１回送られ得る。ＡＤＵは、１つの基準ソースに適用され、例えば、同じＳＰＳ内の複数の衛星についてのエフェメリス・データ、同じアクセス・タイプの複数の基地局の実時間差（ＲＴＤ）などを提供するか、又は要求するために、同じタイプの複数の基準ソースに対して繰り返され得る。
【００３９】
ＡＤＵは、例えば、ロケーション・サーバ又は測位ユニットがどのＡＤＵをサポートするかの観点から、ロケーション・サーバ及び測位ユニットの能力が定義されることを可能にし得る。ＡＤＵはまた、フレキシブルな正確な方法で、測位ユニット１２０が支援データを要求し、ロケーション・サーバ１３０が支援データを提供することを可能にし得る。測位ユニット１２０は、ロケーション・サーバ１３０にＡＤＵを要求するときに、ＡＤＵのいくつかの特性（例えば、ＧＰＳエフェメリス・データの寿命又は精度）を示し得る。
【００４０】
１つの設計では、ＰＭＣ、測位方法、ＭＤＵ、及び／又はＡＤＵは、個々に識別され得る。この識別は、能力、特定の測定値、及び特定の支援データが要求され、提供されることを可能にし得る。識別は、測位メッセージ中の特定のＭＤＵ又はＡＤＵの存在を識別すること、特定の測位方法又はＰＭＣに関係するメッセージ・セグメントを識別することなどにも有用であり得る。ＰＭＣの識別情報は、測位プロトコル上で一意であり得るが、測位方法、ＭＤＵ、及びＡＤＵの識別情報は、特定のＰＭＣに対してのみ一意であり得る。異なる範囲のＩＤが識別のために使用され得る。例えば、ＰＭＣ  ＩＤ０は、すべてのＰＭＣに適用可能な起こりうる将来のシグナリングのために予約され、ＰＭＣ  ＩＤ１〜６３は、ネットワーク・ベースの（アップリンク）ＰＭＣのために使用され、ＰＭＣ  ＩＤ６４〜１２７は、端末支援型及び端末ベースの（ダウンリンク）ＰＭＣのために使用され、ＰＭＣ  ＩＤ１２８〜１９１は、事業者固有の測位方法のために使用され、ＰＭＣ  ＩＤ１９２〜２５４は、ベンダ固有の測位方法のために使用され、ＰＭＣ  ＩＤ２５５は、必要な場合、２５５よりも大きいＰＭＣ  ＩＤを示すために使用され得る。概して、ＩＤは、ＰＭＣ、測位方法、ＭＤＵ、及び／又はＡＤＵに好適な方法で定義され得る。
【００４１】
１つの設計では、１つ又は複数の基準ソースのための較正データをロケーション・サーバに提供するために較正ＰＭＣが使用され得る。較正データは、（ｉ）基地局、アクセスポイント、及び／又は他の基準ソースについての信号タイミング及び／又は信号強度、（ｉｉ）ＧＮＳＳシステムについてのタイミング及びナビゲーション・データ、及び／又は（ｉｉｉ）他の信号及びデータ用であり得る。較正データは、ターゲット・デバイスの位置を特定するために測位ユニットが測定値を作成するのを支援するために、測位ユニットに後で提供され得る支援データを取得するために、ロケーション・サーバによって使用され得る。一例として、近くの基地局間の送信タイミング差を含む較正データは、ＯＴＤＯＡなどのダウンリンク時間差測位方法のための（例えば、ターゲット・デバイスが測定することを予想される近くの基地局間の概算時間差を含む）支援データを導出するために、ロケーション・サーバによって使用され得る。次いで、そのような支援データは、ターゲット・デバイス中に共同設置された測位ユニットに後で送られ得る。較正ＰＭＣ（又は較正測位方法）は、通常のＰＭＣ（又は通常の測位方法）のための支援データを取得するのを助けることによって、及び通常のＰＭＣ中の任意の測位方法のためのロケーション推定値を計算するのを助けることによって、上記の例で説明した対応する通常のＰＭＣ（又は通常の測位方法）をサポートし得る。例えば、ｅＮＢ間タイミング測定のための較正ＰＭＣは、ＯＴＤＯＡ及びＥ−ＣＩＤ測位方法を含むダウンリンクＬＴＥ  ＰＭＣをサポートし得る。
【００４２】
通常のＰＭＣもサポートする共通の測位プロトコルの一部として較正ＰＭＣを使用することで、基準ソースを較正するために共通の測位プロトコルが使用されることを可能にし、それによって、この目的のための追加のプロトコルの必要を回避し得る。較正ＰＭＣは、測位方法、ＡＤＵ、及びターゲット・デバイスの測位を直接サポートしないことがある。較正ＰＭＣは、測位ユニット（例えば、基地局又はＬＭＵ）によって、対応する通常のＰＭＣに適用可能な基準ソースに提供され得るＭＤＵをサポートし得る。対応する通常のＰＭＣのためのＡＤＵを取得するのを助け、ならびに対応する通常のＰＭＣ中の測位方法のためのロケーション推定値を計算するのを助けるために、ロケーション・サーバによってＭＤＵは使用され得る。
【００４３】
１つの設計では、ロケーション・サーバ１３０とターゲット・デバイス１１０と（又はロケーション・サーバ１３０と測位ユニット１２０と）は、測定値又はロケーションを取得するために、支援データを提供するために、及び／又は他の目的のために、ロケーション・セッションに参加し得る。ロケーション推定値は、ＬＰＰセッション、測位セッションなどと呼ばれることもある。ロケーション・セッションは、ＬＰＰトランザクションなどとも呼ばれることがある、１つ又は複数のトランザクションを含み得る。各トランザクションは、能力の交換、支援データの転送、ロケーション情報の転送などの特定の動作をカバーし得る。各トランザクションはトランザクションＩＤを割り当てられ、そのトランザクションのすべてのメッセージは、それらのメッセージを同じトランザクションにリンクするためにトランザクションＩＤを含み得る。
【００４４】
１つの設計では、測位メッセージのセットが、ロケーション・サーバと他のエンティティとの間の通信のために定義され、使用され得る。測位メッセージは、ＬＰＰメッセージ、ＬＰＰプロトコルデータユニット（ＰＤＵ）などとも呼ばれることがある。
【００４５】
図４Ａに、測位メッセージ４００の設計を示す。この設計では、測位メッセージ４００は、測位プロトコル・バージョン・フィールド４１０と、トランザクションＩＤフィールド４１２と、トランザクション終了フラグフィールド４１４と、メッセージ・タイプ・フィールド４１６と、Ｎ個の情報要素４２０ａ〜４２０ｎとを含み、ただし、Ｎは０以上であり得る。フィールド４１０は、測位プロトコルのどのバージョンがロケーション・セッションのために使用されるかを示し、ロケーション・セッションに参加している２つエンティティによって同じ測位プロトコル・バージョンの使用をネゴシエートするために含まれ得る。発信側エンティティは、フィールド４１０を、サポートする最も高いバージョンに設定し得る。受信側エンティティは、サポートする最も高いバージョンを返し得る。ネゴシエートされたバージョンは、２つのエンティティによってサポートされる２つの最も高いバージョンのうちの低い方であり得る。
【００４６】
フィールド４１２は、測位メッセージが当てはまるトランザクションを識別し得る。フィールド４１２は、特に、ロケーション・セッション中に同時に複数のトランザクションが行われるときに関係し得る。各トランザクションは、一意のトランザクションＩＤを割り当てられ得る。１つの設計では、トランザクションを開始する発信側エンティティは、そのトランザクションにトランザクションＩＤを割り当て得る。応答側エンティティは、発信側エンティティに応答するときに、同じトランザクションＩＤを使用し得る。例えば、ロケーション・サーバ１３０は、ロケーション・サーバ１３０によって開始されるトランザクションにトランザクションＩＤを割り当て、測位ユニット１２０は、測位ユニット１２０によって開始されるトランザクションにトランザクションＩＤを割り当て得る。ターゲット・デバイス１１０を測位するために２つ以上のロケーション・サーバが使用されるとき、各ロケーション・サーバは、そのロケーション・サーバによって割り当てることができる異なる範囲のトランザクションＩＤを割り振られ得る。
【００４７】
フィールド４１４は、送信側エンティティがトランザクションを終了したかどうかを示し得る。フィールド４１６は、送られているメッセージのタイプを示し得る。メッセージ・タイプのセットは、以下で説明するようにサポートされ、測位メッセージ４００は、フィールド４１６によって示されるタイプのメッセージであり得る。
【００４８】
フィールド４２０ａ〜４２０ｎは、メッセージ・タイプに依存し得る情報を含み得る。各フィールド４２０は、１つのＰＭＣ又は測位方法のための測位データ構成要素（ＰＤＣ）を搬送し得る。測位メッセージ４００は、一度に２つ以上のＰＭＣのための情報を効率的に伝達し、複合／ハイブリッド測位を呼び出すために、複数のＰＤＣを含み得る。
【００４９】
測位メッセージはまた、図４Ａに示すフィールドの他に異なる及び／又は他のフィールドを含み得る。例えば、測位メッセージは、セッションＩＤ用のフィールド、送信機がロケーション・サーバとして働いているか、又は測位ユニットとして働いているかを示すフィールドなどを含み得る。
【００５０】
表２は、１つの設計による、サポートされ得る測位メッセージ・タイプのセットを記載する。
【表２】
2014098702.tif 000004
【００５１】
ロケーション・サーバ１３０は、測位ユニット１２０によって要求されたときにその能力を提供するか、又は要求を受信することなしに一方的にその能力を送り得る。同様に、測位ユニット１２０は、ロケーション・サーバ１３０によって要求されたときにその能力を提供するか、又は要求を受信することなしに一方的にその能力を送り得る。エンティティ（例えば、ロケーション・サーバ１３０又は測位ユニット１２０）の能力は、ＰＭＣと、そのエンティティによってサポートされる測位方法と、サポートされる測位方法ごとのエンティティの能力（例えば、エンティティによって送られ得る又は受信され得るＭＤＵのリスト及び／又はエンティティによって送られ得る又は受信され得るＡＤＵのリスト）とを含み得る。
【００５２】
ロケーション・サーバ１３０は、測位ユニット１２０によって要求されたときに支援データを提供するか、又は要求を受信することなしに一方的に支援データを送り得る。支援データは、測位ユニット１２０が、ターゲット・デバイス１１０の測位のために、又は基準ソース１４０の較正のために使用され得る測定値を作成することを支援し得る。ロケーション・サーバ１３０はまた、進行中の測位方法についてデータが変わったときに、支援データを提供し得る。支援データのこの自動更新により、測位方法を明示的にアボートし、リスタートする必要なしに、測位方法がリセットされることが可能になり得る。例えば、ターゲット・デバイス１１０は、ＯＴＤＯＡ測位方法中に（例えば、ハンドオーバにより）サービング・セルを変更し得、ロケーション・サーバ１３０は、（ターゲット・デバイス１１０中の）測位ユニット１２０が、新しいサービング・セルに関連する異なるネイバー基地局の測定値を取得し、転送するために、新しいサービング・セルに適用可能な新しい支援データを送り得る。別の例として、測位ユニット１２０（例えば、ＬＭＵ）は、Ｕ−ＴＤＯＡ測位のための特定のサービング・セル中のターゲット・デバイス１１０によって送信されたデータ及び／又はシグナリング・チャネルを測定し、ターゲット・デバイス１１０は、（例えば、ハンドオーバにより）サービング・セルを変更し得る。次いで、ロケーション・サーバ１３０は、新しい支援データを測位ユニット１２０に送って、測位ユニット１２０が、新しいサービング・セルに関連する異なるデータ及び／又はシグナリング・チャネルを測定することを可能にし得る。これらのシナリオにおいて、自動的に更新することは有用であり得る。
【００５３】
測位ユニット１２０は、（例えば、通常のＰＭＣのための）ターゲット・デバイス１１０の測位、又は（例えば、較正ＰＭＣのための）将来の測位のための支援データの判断をサポートするために、測位情報をロケーション・サーバ１３０に送り得る。測位情報は、（ｉ）（例えば、図２Ａに示す）他の基準ソースについてのターゲット・デバイス１１０内の測位ユニット１２０によって作成された測定値、（ｉｉ）（例えば、図２Ｂに示す）ターゲット・デバイス１１０中の基準ソース１４０についてのターゲット・デバイス１１０の外部の測位ユニット１２０によって作成された測定値、（ｉｉｉ）測位ユニット１２０によって取得されたターゲット・デバイス１１０についてのロケーション推定値、及び／又は（ｉｖ）ターゲット・デバイス１１０のロケーションに関係する他の情報を備え得る。例えば、測位ユニット１２０がターゲット・デバイス１１０の一部であり、ターゲット・デバイス１１０が、ロケーション推定値の意図された最終受取側（recipient）である場合、ロケーション・サーバ１３０は、ターゲット・デバイス１１０についてのロケーション推定値を備えるロケーション情報を測位ユニット１２０に送り得る。基準ソースの較正の場合、測位情報は、ネットワーク・ベースの基準ソース（例えば、基地局）及び他のリソース（例えば、衛星）についての測位ユニット１２０によって作成された測定値を備え得る。
【００５４】
測位メッセージはまた、測位メッセージによってサポートされるすべてのＰＭＣに適用可能な共通のパラメータのためのフィールドを含み得る。能力要求メッセージと能力提供メッセージとのための共通のパラメータは、サポートされるＰＭＣ  ＩＤ、ＰＭＣバージョンなどのリストを含み得る。支援データ要求メッセージのための共通のパラメータは、ターゲット・デバイスの近似ロケーション、周期的支援データが要求されるか又はトリガされた支援データが要求されるかの指示及び関連するパラメータ、１次アクセス（例えば、サービング・セルＩＤ）、２次アクセス（例えば、近隣セルＩＤ）などを含み得る。支援データ提供メッセージのための共通のパラメータは、ターゲット・デバイスの近似ロケーション、現在時間などを含み得る。ロケーション情報要求メッセージのための共通のパラメータは、（例えば、ロケーション、測定精度、及び／又は応答時間についての）必要とされるサービス品質（ＱｏＳ）、周期的ロケーション情報が要求されるか又はトリガされたロケーション情報が要求されるかの指示及び関連するパラメータ、端末支援型及び／又は端末ベースの測位方法のためのロケーション・タイプ、必要とされる又は好適なＰＭＣ  ＩＤ及びＰＭＣバージョンのリストなどを含み得る。ロケーション情報提供メッセージのための共通のパラメータは、ロケーション推定値及び精度、時間、速度などを含み得る。
【００５５】
図４Ｂに、異なる団体によって規定された複数の部分を含む測位メッセージ４５０の設計を示す。図４Ａについて上記で説明したように、測位メッセージ４５０は、測位プロトコル・バージョン・フィールドと、トランザクションＩＤフィールドと、トランザクション終了フラグフィールドと、メッセージ・タイプ・フィールドと、Ｎ個の情報要素とを含み得る。１つの設計では、各情報要素中で１つの部分が送られ得る。例えば、第１の部分は、第１の団体によって規定された測位のための第１の情報を備え、第２の部分は、第２の団体によって規定された測位のための第２の情報を備え得る。団体は、３ＧＰＰ、３ＧＰＰ２、ＯＭＡ、Internet Engineering Task Force（ＩＥＴＦ）、米国電気電子技術者協会（ＩＥＥＥ）、ネットワーク事業者、機器ベンダなどであり得る。複数の部分は、特定のトランザクション・タイプ、例えば、能力転送、支援データ転送、ロケーション情報転送などについてであり得る。この設計により、外部団体は、測位メッセージの１つ又は複数の追加の部分中で搬送され得る追加の能力を規定することによって、既存の測位方法を向上させること、又は新しい測位方法をサポートすることが可能になり得る。
【００５６】
１つの設計では、いくつかの関連するトランザクションが並列に呼び出され得る。例えば、（例えば、図２Ａに示すように）測位ユニット１２０は、ターゲット・デバイス１１０と共同設置され得、それ自体のロケーションをロケーション・サーバ１３０に要求し、支援データをロケーション・サーバ１３０に要求し、その能力をロケーション・サーバ１３０に提供して、ロケーション・サーバ１３０がそのロケーションを取得することを可能にし得る。別の例として、測位ユニット１２０は、ターゲット・デバイス１１０と共同設置され得、それ自体のロケーションをロケーション・サーバ１３０に要求し、１つ又は複数の測位方法（例えば、Ｅ−ＣＩＤ及び／又はＡ−ＧＮＳＳ）のための測定値をロケーション・サーバ１３０に提供して、ロケーション・サーバ１３０がロケーション推定値を導出することを可能にし得る。また、上記の両方の例における測位ユニット１２０によってロケーション・サーバ１３０に送られるメッセージは、組み合わされ得る。さらに別の例として、ロケーション・サーバ１３０は、ターゲット・デバイス１１０と共同設置され得る測位ユニット１２０に、測位情報を要求し得、測位情報を取得することを助けるために、支援データを測位ユニット１２０に提供し得る。
【００５７】
１つの設計では、複数のトランザクションのための複数の測位メッセージが、１つのメッセージ・トランザクション／交換において一緒にトランスポートされ得る。１つの設計では、単一のコンテナ・メッセージが、複数の測位メッセージを含み得る。例えば、コンテナ・メッセージは、複数の情報要素中で複数の測位メッセージを搬送することができる、ただし、各個の測位メッセージについて１つの情報要素である、あらかじめ定義された測位メッセージであり得る。別の設計では、複数の測位メッセージはリンクされ、直列又は並列のいずれかで、別々に送られ得る。別々のメッセージが受信側エンティティにおいて関連付けられることを可能にするために、共通の識別子が各メッセージ中に含まれ得る。複数の測位メッセージはまた、他の方法で一緒にトランスポートされ得る。各測位メッセージのフォーマット及びコンテンツは、その測位メッセージが単独で送られるか、又は他の測位メッセージとともに送られるかに依存され得ない。
【００５８】
送信側エンティティは、複数のトランザクションのための複数の測位メッセージを含むコンテナ・メッセージを送り得る。受取側エンティティは、複数のトランザクションに対して個々の返答を生成し、例えば、各受信したメッセージへの返答を生成するために、すべての受信した測位メッセージ中に含まれている情報を利用することによって、より適切な応答を行うために、複数の測位メッセージの関連付けを使用し得る。受取側エンティティは、個々の返答のための複数の測位メッセージを含むコンテナ・メッセージを戻し得る。複数の測位メッセージを一緒にトランスポートすることで、（ｉ）別々に送られた場合の順序が狂った測位メッセージの配信による遅延を低減し、問題を回避し、（ｉｉ）受信側エンティティが各受信したメッセージを処理し返答するために必要とされる大部分の情報を所有していることを確実にするなど、様々な利点を与え得る。
【００５９】
図５に、ＬＴＥにおけるモバイル発信型ロケーション要求（ＭＯ−ＬＲ）サービスのためのメッセージフロー５００を示す。ＵＥ５１０におけるＬＣＳクライアント又はＵＥ５１０のユーザは、例えば、ＵＥ５１０のロケーションを検索するか又はＵＥロケーションをサードパーティに転送する、ロケーション・サービスを要求し得る。ＵＥ５１０は、ＭＯ−ＬＲ要求メッセージを、サービングｅＮＢ５２０を介して、モビリティ管理エンティティ（ＭＭＥ）５４０に送る（ステップ１）。ＭＯ−ＬＲ要求メッセージは、１つ又は複数のプロシージャを誘発する１つ又は複数の測位メッセージを搬送するコンテナ・メッセージとして使用され得る。例えば、ＭＯ−ＬＲ要求メッセージは、ＵＥ５１０の能力を提供する測位メッセージ、支援データを要求する測位メッセージ、測定値を提供する測位メッセージなどを含み得る。ＭＭＥ５４０は、ロケーション要求メッセージをＥ−ＳＭＬＣ５３０に送る（ステップ２）。ロケーション要求メッセージは、ステップ１においてＭＭＥ５４０によって受信された測位メッセージを含み得る。
【００６０】
Ｅ−ＳＭＬＣ５３０とＵＥ５１０とは、ロケーション・セッションに参加し、１つ又は複数のトランザクションを実行する（ステップ３）。このロケーション・セッションでは、ＵＥ５１０はターゲット・デバイス及び測位ユニットであり、Ｅ−ＳＭＬＣ５３０はロケーション・サーバであり得る。Ｅ−ＳＭＬＣ５３０は、ＵＥ５１０の測位能力を取得し、支援データをＵＥ５１０に提供し、及び／又はＵＥ５１０から測位情報を取得するために、１つ又は複数のトランザクションを誘発し得る。第１の測位メッセージがＥ−ＳＭＬＣ５３０から受信された後、ＵＥ５１０は、支援データを要求するために、さらなる支援データを要求するためになど、１つ又は複数のトランザクションを誘発し得る。
【００６１】
Ｅ−ＳＭＬＣ５３０とｅＮＢ５２０とは、ロケーション・セッションに参加し、１つ又は複数のトランザクションを実行する（ステップ４）。このロケーション・セッションでは、ｅＮＢ５２０は測位ユニットであり、Ｅ−ＳＭＬＣ５３０はロケーション・サーバであり得る。Ｅ−ＳＭＬＣ５３０は、ロケーション・セッションを介してｅＮＢ５２０からＵＥ５１０についての測位情報を取得し得る。ステップ３及びステップ４は、任意の順序で、又は並列に行われ得る。Ｅ−ＳＭＬＣ５３０は、ロケーション応答メッセージをＭＭＥ５４０に戻す（ステップ５）。ロケーション応答メッセージは、ステップ３及びステップ４から取得されたロケーション推定値、及び／又はステップ１においてＵＥ５１０によって要求された場合、ロケーション推定値を提供し得る、最終測位メッセージを含み得る。ＵＥ５１０がサードパーティへのロケーション転送を要求した場合、ＭＭＥ５４０は、Ｅ−ＳＭＬＣ５３０から受信したロケーション推定値をサードパーティに転送する（ステップ６）。ＭＭＥ５４０は、ステップ５において受信された最終測位メッセージ及び／又は別個のロケーション推定値を搬送し得るＭＯ−ＬＲ応答メッセージをＵＥ５１０に送る（ステップ７）。
【００６２】
コントロールプレーンロケーションソリューションの場合、ロケーション・セッションが行われ得る前に、ネットワーク・エンティティ（例えば、ＭＭＥ５４０）は、ロケーション・サービスをロケーション・サーバ（例えば、Ｅ−ＳＭＬＣ５３０）に要求することを必要とし得る。ＭＯ−ＬＲサービスの場合、ターゲット・デバイス（例えば、ＵＥ５１０）は、最初に、ロケーション・サービスを要求するＭＯ−ＬＲ要求メッセージをネットワーク・エンティティに送り得る。次いで、ターゲット・デバイスは、ネットワーク・エンティティからの応答を待ち、その後、第１の測位メッセージをロケーション・サーバに送り得る。この余分の遅延は、ターゲット・デバイスに、ネットワーク・エンティティに送られるＭＯ−ＬＲ要求メッセージ中に第１の測位メッセージを含めさせることによって回避され得る。次いで、ネットワーク・エンティティは、ロケーション要求メッセージ中でこの第１の測位メッセージをロケーション・サーバに転送し得る。後続の測位メッセージは、ＭＯ−ＬＲ要求メッセージが属するＮｏｎ  Ａｃｃｅｓｓ  Ｓｔｒａｔｕｍ（ＮＡＳ）レイヤを利用することなしに、ターゲット・デバイスとロケーション・サーバとの間でより直接的に送られ得る。ロケーション・サーバからの最終測位メッセージは、直接ターゲット・デバイスに送られるか、又は転送すべきメッセージの総数を低減し得る、ＭＯ−ＬＲ応答メッセージを介して送られ得る。
【００６３】
図６に、複数のトランザクションを用いたロケーション・セッションのためのメッセージフロー６００を示す。メッセージフロー６００は、図５中のステップ３におけるロケーション・セッション及び／又はステップ４におけるロケーション・セッションのために使用され得る。ターゲット・デバイス１１０は、ＭＯ−ＬＲ要求メッセージをロケーション・サーバ１３０に送る（ステップ１）。ＭＯ−ＬＲ要求メッセージは、１つ又は複数のプロシージャを誘発する１つ又は複数の測位メッセージを搬送し得る。測位メッセージは、必要とされるＱｏＳ、トリガされたロケーションが要求されるか又は周期的ロケーションが要求されるか、及び／又は他の情報を含み得る。測位能力がステップ１において受信されなかった場合、ロケーション・サーバ１３０は、ターゲット・デバイス１１０の測位能力を要求する測位メッセージを送る（ステップ２）。ターゲット・デバイス１１０は、その測位能力、例えば、サポートされる測位方法をもつ測位メッセージを戻す（ステップ３）。
【００６４】
ロケーション・サーバ１３０は、測位情報、例えば、ターゲット・デバイス１１０によってサポートされる測位方法のためのロケーション関係測定値を要求する測位メッセージを送る（ステップ４）。ターゲット・デバイス１１０は、支援データを要求する測位メッセージを送る（ステップ５）。ロケーション・サーバ１３０は、要求された支援データをもつ測位メッセージを戻す（ステップ６）。ロケーション・サーバ１３０はまた、例えば、変更によってトリガされると、又は周期的間隔で、更新された支援データをもつ１つ又は複数の後続の測位メッセージを送り得る（図６に図示せず）。ターゲット・デバイス１１０は、測位情報（例えば、測定値）を取得し、測位情報をもつ測位メッセージを送る（ステップ７）。ターゲット・デバイス１１０はまた、例えば、変更によってトリガされると、又は周期的間隔で、更新されたロケーション情報をもつ１つ又は複数の後続の測位メッセージを送り得る（図６に図示せず）。ロケーション・サーバ１３０は、ステップ７において受信された測位情報を使用して、ターゲット・デバイス１１０についてのロケーション推定値を計算し得る。次いで、ロケーション・サーバ１３０は、測位メッセージ及び／又はロケーション推定値を含み得るＭＯ−ＬＲ応答メッセージを、ターゲット・デバイス１１０に送る（ステップ８）。ロケーション・サーバ１３０はまた、例えば、特定のイベントによってトリガされると、又は周期的間隔で、又はターゲット・デバイスからさらなる測位情報を受信した後になど、更新されたロケーション推定値をもつ１つ又は複数の後続の測位メッセージを送り得る（図６に図示せず）。
【００６５】
図６に、３つの明示的トランザクションＡ、Ｂ及びＣを用いた例示的なロケーション・セッションを示す。概して、ロケーション・セッションは、任意の数のトランザクション及び任意のタイプのトランザクションを含み得る。同じタイプの複数のトランザクションも実行され得る。例えば、近似ロケーションを取得するために、Ｅ−ＣＩＤ測位をサポートするターゲット・デバイスから測位情報を取得するためのトランザクションが実行され、正確なロケーションを取得するために、別個のＡ−ＧＮＳＳ関連トランザクションが並列に、又はその後実行され得る。
【００６６】
図６に、ＭＯ−ＬＲサービスのためのメッセージフローを示す。モバイル着ロケーション要求（ＭＴ−ＬＲ）サービスのためのメッセージフローは、図６中のステップ２〜７を用いて定義され得る。
【００６７】
図６に示すように、いくつかのトランザクションが実行され得る。トランザクションは、図６に示すように、ターゲット・デバイス１１０中の測位ユニットとロケーション・サーバ１３０との間で交換される測位メッセージのペアに関与し得る。トランザクションはまた、１つのエンティティによって一方的に送られる単一の測位メッセージに関与し得る。例えば、ターゲット・デバイス１１０中の測位ユニットは、能力の要求を受信することなしに一方的にその能力を提供し、ロケーション・サーバ１３０は、支援データの要求を受信することなしに一方的に支援データを提供し得る。複数のトランザクションのための複数の測位メッセージが、統合され、一緒に転送され得る。例えば、ステップ２及びステップ４における測位メッセージが一緒に転送されること、ステップ３及びステップ５における測位メッセージが一緒に転送されることなどがあり得る。
【００６８】
図７に、ロケーション・サーバによって測位をサポートするためのプロセス７００の設計を示す。ロケーション・サーバは、ＬＰＰ又は何らかの他の測位プロトコルであり得る共通の測位プロトコルを介してターゲット・デバイスについての測位情報を取得する（ブロック７１２）。ロケーション・サーバは複数の可能なエンティティのうちの１つに属し、ターゲット・デバイスはこれらのエンティティのうちの１つであり得る。例えば、ロケーション・サーバは、ネットワーク・エンティティに属するか、又はターゲット・デバイスと共同設置され得る。ロケーション・サーバは、それがどこに属するかにかかわらず、共通の測位プロトコルを使用し得、共通の測位プロトコルを介して他のエンティティと通信し得る。共通の測位プロトコルは、ロケーション・サーバがどこに属するかにかかわらず、同じ測位プロトコルが使用されることを単に意味し得る。ロケーション・サーバは、ターゲット・デバイスについてのロケーション情報を判断する（ブロック７１４）。
【００６９】
１つの設計では、測位情報は、少なくとも１つの基準ソースについての測定値を備え得る。例えば、ロケーション・サーバは、少なくとも１つの衛星、又は少なくとも１つの基地局、又は少なくとも１つの端末、又はターゲット・デバイス、又は何らかの他のエンティティ、又はそれらの組合せからの少なくとも１つの信号についての測定値を取得し得る。ロケーション情報は、その測定値に基づいてロケーション・サーバによって判断され得るターゲット・デバイスについてのロケーション推定値を備え得る。別の設計では、測位情報は、（ｉ）ターゲット・デバイスのロケーションを示し得る、例えば、粗い又は精細なロケーション推定値を備え得るか、又は（ｉｉ）ターゲット・デバイスのロケーションにおいて受信され得る基準ソースの測定値を備え得る。ロケーション情報は、その測位情報に基づいてロケーション・サーバによって判断された支援データを備え得る。さらに別の設計では、ロケーション情報は支援データを備え、測位情報は、その支援データに基づいて作成された測定値を備え得る。概して、測位情報は、測定値、ロケーション推定値などを備え得る。ロケーション情報は、ロケーション推定値、支援データなどを備え得る。図７中の２つのステップは、図７に示す順序で実行されるか、又は反対の順序で実行され得る。ロケーション情報は測位情報に基づいて判断され得、又はその逆も同様である。
【００７０】
１つの設計では、ターゲット・デバイスのための測位ユニットは、測位情報を判断し得る、例えば、測定値を作成し得る。測位ユニットは第２の複数の可能なエンティティのうちの１つに属し、ターゲット・デバイスはこれらのエンティティのうちの１つであり得る。ロケーション・サーバは、共通の測位プロトコルを介して測位ユニットと通信し得る。例えば、ロケーション・サーバは、共通の測位プロトコルを介して測位ユニットと、能力、又は支援データ、又はロケーション情報、又はそれらの組合せを交換し得る。
【００７１】
図８に、ターゲット・デバイス、又は測位ユニット、又は何らかの他のエンティティであり得るエンティティによる測位をサポートするためのプロセス８００の設計を示す。エンティティは、共通の測位プロトコルを介して、ターゲット・デバイスについての測位情報をロケーション・サーバに送る（ブロック８１２）。ロケーション・サーバは、複数の可能なエンティティのうちの１つに属し、それがどこに属するかにかかわらず、共通の測位プロトコルを使用し得る。ターゲット・デバイスは、複数の可能なエンティティのうちの１つであり得る。エンティティは、ロケーション・サーバからターゲット・デバイスについてのロケーション情報を受信する（ブロック８１４）。
【００７２】
１つの設計では、測位情報は、少なくとも１つの基準ソースについての測定値を備え、ロケーション情報は、その測定値に基づいてロケーション・サーバによって判断されたターゲット・デバイスについてのロケーション推定値を備え得る。別の設計では、測位情報は、ターゲット・デバイスのロケーションにおいて受信することができる基準ソースの測定値を備え、ロケーション情報は、その測位情報に基づいてロケーション・サーバによって判断された支援データを備え得る。さらに別の設計では、ロケーション情報は支援データを備え、測位情報は、その支援データに基づいて作成された測定値を備え得る。この設計では、ブロック８１２は、ブロック８１４の後に行われ得る。
【００７３】
１つの設計では、エンティティは、測定値を取得するために、少なくとも１つの基準ソースからの少なくとも１つの信号を測定し得る。１つの設計では、少なくとも１つの基準ソースは、少なくとも１つの衛星、又は少なくとも１つの基地局、又は少なくとも１つの端末、又はそれらの組合せを備え得る。この設計では、測定値は、ターゲット・デバイスにおいて作成され得る。別の設計では、少なくとも１つの基準ソースは、ターゲット・デバイス、及び場合によっては他の基準ソースを備え得る。この設計では、測定値は、ターゲット・デバイスの外部にある測位ユニットにおいて作成され得る。
【００７４】
図９に、ロケーション・サーバ、測位ユニット、ターゲット・デバイス、又は何らかの他のエンティティであり得るエンティティによる測位をサポートするためのプロセス９００の設計を示す。エンティティは、１つのメッセージ・トランザクションにおいて一緒にトランスポートされる複数の測位メッセージを交換する（例えば、送る又は受信する）（ブロック９１２）。１つの設計では、エンティティは、複数の測位メッセージを、リンクされたメッセージとして、又は単一のコンテナ・メッセージ中で送り得る。別の設計では、エンティティは、リンクされたメッセージとして、又は単一のコンテナ・メッセージ中で送られ得る複数の測位メッセージを受信し得る。エンティティは、複数の測位メッセージに基づいて測位を実行する（ブロック９１４）。
【００７５】
１つの設計では、複数の測位メッセージは、測位を開始するためにターゲット・デバイスによってＭＯ−ＬＲメッセージを用いて送られ得る。別の設計では、複数の測位メッセージは、ロケーション・サーバによって送られ、（ｉ）支援データを搬送する第１の測位メッセージと、（ｉｉ）ロケーション情報を要求する第２の測位メッセージとを備え得る。さらに別の設計では、複数の測位メッセージは、（例えば、測位ユニット又はターゲット・デバイスによって）ロケーション・サーバに送られ、（ｉ）支援データを要求する第１の測位メッセージと、（ｉｉ）測定値を搬送する第２の測位メッセージとを備え得る。複数のメッセージはまた、メッセージの何らかの他の組合せを含み得る。
【００７６】
１つの設計では、複数の測位メッセージの各々は、能力要求メッセージ・タイプ、能力提供メッセージ・タイプ、支援データ要求メッセージ・タイプ、支援データ提供メッセージ・タイプ、ロケーション情報要求メッセージ・タイプ、及びロケーション情報提供メッセージ・タイプを含み得る、複数のメッセージ・タイプのうちの１つであり得る。複数の測位メッセージは、少なくとも２つのメッセージ・タイプの測位メッセージを含み得る。
【００７７】
図１０に、ロケーション・サーバ、測位ユニット、ターゲット・デバイス、又は何らかの他のエンティティであり得るエンティティによる測位をサポートするためのプロセス１０００の設計を示す。エンティティは、特定のトランザクション・タイプについての第１の部分と第２の部分とを備える測位メッセージを交換する（ブロック１０１２）。第１の部分は、第１の団体によって規定された測位のための第１の情報を備え、第２の部分は、第２の団体によって規定された測位のための第２の情報を備え得る。例えば、第１の団体は、３ＧＰＰ又は何らかの他の団体を備え得る。第２の団体は、３ＧＰＰ２、ＯＭＡ、ＩＥＴＦ、ＩＥＥＥ、ネットワーク事業者、機器ベンダ、又は何らかの他の団体を備え得る。エンティティは、測位メッセージに基づいて測位を実行する（ブロック１０１４）。
【００７８】
ブロック１０１２の１つの設計では、エンティティは、ロケーション・サーバに測位メッセージを送るか、又はロケーション・サーバから測位メッセージを受信するターゲット・デバイスであり得る。別の設計では、エンティティは、ターゲット・デバイスに測位メッセージを送るか、又はターゲット・デバイスから測位メッセージを受信するロケーション・サーバであり得る。
【００７９】
ブロック１０１４の１つの設計では、エンティティは、第１の部分中の第１の情報（例えば、測定値）と、第２の部分中の第２の情報（例えば、それ以外の測定値、又は粗いロケーション推定値）とに基づいて、支援データ又はロケーション推定値を判断し得る。別の設計では、エンティティは、第１の部分中の第１の情報（例えば、衛星のための支援データ）と、第２の部分中の第２の情報（例えば、基地局のための支援データ）とに基づいて、測定値を作成し得る。
【００８０】
図１１に、ロケーション・サーバ、測位ユニット、ターゲット・デバイス、又は何らかの他のエンティティであり得るエンティティによる測位をサポートするためのプロセス１１００の設計を示す。エンティティは、第１の複数の測位方法に適用可能な測定データ単位を交換し、第１の複数の測位方法の各々は、適用可能な測定データ単位の異なるセットに関連する（ブロック１１１２）。例えば、交換された測定データ単位は図３中のＭＤＵ２であり、第１の複数の測位方法はＰＭａ及びＰＭｂを含み、測位方法ＰＭａは、ＭＤＵ１、ＭＤＵ２及びＭＤＵ３の第１のセットに関連し、測位方法ＰＭｂは、ＭＤＵ２及びＭＤＵ３の第２のセットに関連し得る。エンティティは、交換された測定データ単位に基づき、第１の複数の測位方法のうちの１つであり得る測位方法に従って測位を実行する（ブロック１１１４）。
【００８１】
代替又は追加として、エンティティは、第２の複数の測位方法に適用可能な支援データ単位を交換し、第２の複数の測位方法の各々は、適用可能な支援データ単位の異なるセットに関連する（ブロック１１１６）。エンティティは、交換された支援データ単位に基づき、第２の複数の測位方法のうちの１つであり得る測位方法に従って測位を実行する（ブロック１１１８）。
【００８２】
概して、共有測定データ単位のみがサポートされるか、又は共有支援データ単位のみがサポートされるか、又は共有測定データ単位と共有支援データ単位の両方がサポートされ得る。共有測定データ単位のみがサポートされる場合、ブロック１１１２とブロック１１１４とが実行され、ブロック１１１６とブロック１１１８とは省略され得る。共有支援データ単位のみがサポートされる場合、ブロック１１１６とブロック１１１８とが実行され、ブロック１１１２とブロック１１１４とは省略され得る。共有測定データ単位と共有支援データ単位の両方がサポートされる場合、ブロック１１１２とブロック１１１８とが実行され得る。
【００８３】
図１２に、ターゲット・デバイス１１０、基地局１２２、及びロケーション・サーバ１３０の設計のブロック図を示す。ターゲット・デバイス１１０は、ＵＥ、ＳＥＴなどであり得る。ロケーション・サーバ１３０は、ＳＭＬＣ、Ｅ−ＳＭＬＣ、ＳＬＰなどであり得る。測位ユニット１２０は、ターゲット・デバイス１１０、基地局１２２、又は何らかの他のエンティティに属し得る。基準ソース１４０は、基地局１２２、又は衛星、又は何らかの他のエンティティの一部であり得る。簡単のために、図１２には、ターゲット・デバイス１１０についてただ１つのコントローラ／プロセッサ１２２０と、１つのメモリ１２２２と、１つ送信機／受信機（ＴＭＴＲ／ＲＣＶＲ）１２２４とを示し、基地局１２２についてただ１つのコントローラ／プロセッサ１２３０と、１つのメモリ１２３２と、１つの送信機／受信機１２３４と、１つの通信（Ｃｏｍｍ）ユニット１２３６とを示し、ロケーション・サーバ１３０についてただ１つのコントローラ／プロセッサ１２４０と、１つのメモリ１２４２と、１つの通信ユニット１２４４とを示してある。概して、各エンティティは、任意の数の処理ユニット（プロセッサ、コントローラなど）、メモリ、送信機／受信機、通信ユニットなどを含み得る。
【００８４】
ダウンリンク上では、基地局１２２は、そのカバレージ・エリア内の端末にデータ、シグナリング及びパイロットを送信し得る。これらの様々なタイプの情報は、処理ユニット１２３０によって処理され、送信機１２３４によって調整され、ダウンリンク上で送信され得る。ターゲット・デバイス１１０において、基地局１２２及び他の基地局からのダウンリンク信号は、様々なタイプの情報を取得するために、受信機１２２４によって受信され調整され、処理ユニット１２２０によってさらに処理され得る。処理ユニット１２２０は、図８のプロセス８００、図９のプロセス９００、図１０のプロセス１０００、図１１のプロセス１１００、及び／又は本明細書で説明する技法についての他のプロセスを実行し得る。メモリ１２２２及びメモリ１２３２は、それぞれ、ターゲット・デバイス１１０及び基地局１２２のためのプログラム・コード及びデータを記憶し得る。アップリンク上では、ターゲット・デバイス１１０は、基地局１２２にトラフィックデータ、シグナリング、及びパイロットを送信し得る。これらの様々なタイプの情報は、処理ユニット１２２０によって処理され、送信機１２２４によって調整され、アップリンク上で送信され得る。基地局１２２において、ターゲット・デバイス１１０及び他の端末からのアップリンク信号は、端末からの様々なタイプの情報を取得するために、受信機１２３４によって受信され調整され、処理ユニット１２３０によってさらに処理され得る。基地局１２２は、通信ユニット１２３６を介してロケーション・サーバ１３０と直接又は間接的に通信し得る。
【００８５】
ロケーション・サーバ１３０内で、処理ユニット１２４０は、端末についてのロケーション・サービスと測位とをサポートするための処理を実行し得る。例えば、処理ユニット１２４０は、図７のプロセス７００、図８のプロセス８００、図９のプロセス９００、図１０のプロセス１０００、図１１のプロセス１１００、及び／又は本明細書で説明する技法についての他のプロセスを実行し得る。処理ユニット１２４０はまた、ターゲット・デバイス１１０についてのロケーション推定値を計算すること、ロケーション情報を提供することなどを行い得る。メモリ１２４２は、ロケーション・サーバ１３０のためのプログラム・コード及びデータを記憶し得る。通信ユニット１２４４は、ロケーション・サーバ１３０が基地局１２２及び／又は他のネットワーク・エンティティと通信することを可能にし得る。ロケーション・サーバ１３０及びターゲット・デバイス１１０は、基地局１２２及び他のネットワーク・エンティティ（図示せず）を介して測位メッセージを交換し得る。
【００８６】
測位ユニット１２０は、端末１１０、又は基地局１２２、又はロケーション・サーバ１３０に属し得る。この場合、測位ユニット１２０による処理は、それぞれ、処理ユニット１２２０、１２３０、又は１２４０によって実行され得る。測位ユニット１２０はまた、図１２に示すエンティティの外部にあることがある。この場合、測位ユニット１２０は、必要とされる機能を実行することができる、１つ又は複数の処理ユニット（プロセッサ、コントローラなど）、メモリ、送信機／受信機、通信ユニットなどを含み得る。
【００８７】
情報及び信号は様々な異なる技術及び技法のいずれかを使用して表され得ることを、当業者は理解されよう。例えば、上記の説明全体にわたって言及され得るデータ、命令、コマンド、情報、信号、ビット、シンボル、及びチップは、電圧、電流、電磁波、磁界又は磁性粒子、光場又は光学粒子、あるいはそれらの任意の組合せによって表され得る。
【００８８】
さらに、本明細書の開示に関連して説明した様々な例示的な論理ブロック、モジュール、回路、及びアルゴリズム・ステップは、電子ハードウェア、コンピュータ・ソフトウェア、又は両方の組合せとして実装され得ることを、当業者は諒解されよう。ハードウェアとソフトウェアのこの互換性を明確に示すために、様々な例示的な構成要素、ブロック、モジュール、回路、及びステップを、上記では概してそれらの機能に関して説明した。そのような機能をハードウェアとして実装するか、ソフトウェアとして実装するかは、特定の適用例及び全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００８９】
本明細書で説明する位置判断技法は、ワイヤレス・ワイドエリア・ネットワーク（ＷＷＡＮ）、ワイヤレス・ローカルエリア・ネットワーク（ＷＬＡＮ）、ワイヤレス・パーソナルエリア・ネットワーク（ＷＰＡＮ）などの様々なワイヤレス通信ネットワークに関連して実装され得る。「ネットワーク」及び「システム」という用語は、しばしば互換的に使用される。ＷＷＡＮは、符号分割多元接続（ＣＤＭＡ）ネットワーク、時間分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、Ｌｏｎｇ  Ｔｅｒｍ  Ｅｖｏｌｕｔｉｏｎ（ＬＴＥ）ネットワーク、ＷｉＭＡＸ（ＩＥＥＥ８０２．１６）ネットワークなどであり得る。ＣＤＭＡネットワークは、ｃｄｍａ２０００、広帯域ＣＤＭＡ（Ｗ−ＣＤＭＡ）などの１つ又は複数の無線アクセス技術（ＲＡＴ）を実装し得る。ｃｄｍａ２０００は、ＩＳ−９５標準、ＩＳ−２０００標準、及びＩＳ−８５６標準を含む。ＴＤＭＡネットワークは、Global System for Mobile Communications（ＧＳＭ）、Digital Advanced Mobile Phone System（Ｄ−ＡＭＰＳ）、又は何らかの他のＲＡＴを実装し得る。ＧＳＭ及びＷ−ＣＤＭＡは、「3rd Generation Partnership Project」（３ＧＰＰ）という名称の組織からの文書に記載されている。ｃｄｍａ２０００は、「3rd Generation Partnership Project 2」（３ＧＰＰ２）という名称の組織からの文書に記載されている。３ＧＰＰ及び３ＧＰＰ２の文書は公に入手可能である。ＷＬＡＮは、ＩＥＥＥ８０２．１１ｘネットワークでよく、ＷＰＡＮは、Bluetooth（登録商標）ネットワーク、ＩＥＥＥ８０２．１５ｘネットワーク、又は他の何らかのタイプのネットワークであってもよい。本技法はまた、ＷＷＡＮ、ＷＬＡＮ、及び／又はＷＰＡＮの任意の組合せに関して実装され得る。
【００９０】
衛星測位システム（ＳＰＳ）は、一般に、送信機から受信した信号に少なくとも部分的に基づいて地球上又は地球上空のエンティティのロケーションをそれらのエンティティが判断できるように配置された送信機のシステムを含む。そのような送信機は、一般に、設定された数のチップの反復する擬似雑音（ＰＮ）コードでマークされた信号を送信し、地上ベースの制御局、ユーザ機器、及び／又は宇宙ビークル上に配置され得る。特定の例では、そのような送信機は地球周回軌道衛星ビークル（ＳＶ）上に配置され得る。例えば、Global Positioning System(GPS)、Galileo、 Glonass,又はCompassなどの全地球航法衛星システム（ＧＮＳＳ）のコンスタレーション中のＳＶは、（例えば、ＧＰＳの場合のように各衛星について異なるＰＮコードを使用して、又はＧｌｏｎａｓｓの場合のように異なる周波数上の同じコードを使用して）コンスタレーション中の他のＳＶによって送信されたＰＮコードとは区別可能なＰＮコードでマーキングされた信号を送信し得る。いくつかの態様によれば、本明細書で提示する技法は、ＳＰＳのためのグローバルシステム（例えば、ＧＮＳＳ）に制限されない。例えば、本願明細書で提供する技法は、例えば、日本のQuasi-Zenith Satellite System（ＱＺＳＳ）、インドのIndian Regional Navigational Satellite System（ＩＲＮＳＳ）、中国のＢｅｉｄｏｕなどの様々な領域システム、ならびに／あるいは１つ又は複数のグローバル及び／又は領域ナビゲーション衛星システムに関連付けること、又は場合によってはそれらのシステムとともに使用することが可能である様々なオーグメンテーションシステム（例えば、Satellite Based Augmentation System（ＳＢＡＳ））に適用すること、又は場合によってはそれらのシステムにおいて使用することが可能である。限定ではなく例として、ＳＢＡＳは、例えば、Wide Area Augmentation System（ＷＡＡＳ）、European Geostationary Navigation Overlay Service（ＥＧＮＯＳ）、Multi-functional Satellite Augmentation System（ＭＳＡＳ）、ＧＰＳ Aided Geo Augmented Navigation又はＧＰＳ及びGeo Augmented Navigationシステム（ＧＡＧＡＮ）など、完全性情報、差分補正などを行う（１つ又は複数の）オーグメンテーションシステムを含み得る。したがって、本明細書で使用するＳＰＳは、１つ又は複数の全地球ナビゲーション衛星システム及び／又は領域ナビゲーション衛星システム及び／又はオーグメンテーションシステムの任意の組合せを含み得、ＳＰＳ信号は、ＳＰＳ信号、ＳＰＳ様信号、及び／又はそのような１つ又は複数のＳＰＳに関連する他の信号を含み得る。
【００９１】
本明細書で説明する方法は、適用例に応じて様々な手段によって実装され得る。例えば、これらの方法は、ハードウェア、ファームウェア、ソフトウェア、又はそれらの任意の組合せで実装され得る。ハードウェアに関与する実装形態の場合、処理ユニットは、１つ又は複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明する機能を実行するように設計された他の電子ユニット、又はそれらの組合せの中で実装され得る。
【００９２】
ファームウェア及び／又はソフトウェアに関与する実装形態の場合、本方法は、本明細書で説明する機能を実行するモジュール（例えば、プロシージャ、機能など）を用いて実装され得る。命令を有形に実施するいずれの機械可読媒体も、本明細書で説明する方法の実装において使用され得る。例えば、ソフトウェアコードは、メモリに記憶され、処理ユニットによって実行され得る。メモリは、処理ユニットの内部又は処理ユニットの外部に実装され得る。本明細書で使用する「メモリ」という用語は、長期メモリ、短期メモリ、揮発性メモリ、不揮発性メモリ、又は他のメモリのいずれかのタイプを指し、メモリの特定のタイプ又はメモリの数、あるいはメモリが記憶される媒体のタイプに限定されない。
【００９３】
ファームウェア及び／又はソフトウェアで実装する場合、機能は、１つ又は複数の命令又はコードとしてコンピュータ可読媒体上に記憶され得る。例としては、データ構造で符号化されたコンピュータ可読媒体、及びコンピュータプログラムで符号化されたコンピュータ可読媒体がある。コンピュータ可読媒体は製造品の形態をとることができる。コンピュータ可読媒体は物理的コンピュータ記憶媒体を含む。記憶媒体は、コンピュータによってアクセスできる任意の利用可能な媒体とすることができる。限定ではなく、例として、そのようなコンピュータ可読媒体は、ＲＡＭ、ＲＯＭ、ＥＥＰＲＯＭ、ＣＤ−ＲＯＭ又は他の光ディスク（disk）ストレージ、磁気ディスク（disk）ストレージ、半導体ストレージ、又は他の記憶デバイス、あるいは命令又はデータ構造の形態で所望のプログラム・コードを記憶するために使用でき、コンピュータによってアクセスできる任意の他の媒体を備えることができ、本明細書で使用するディスク（disk）及びディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）及びブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００９４】
コンピュータ可読媒体上での記憶に加えて、命令及び／又はデータは通信装置中に含まれる伝送媒体上の信号として与えられ得る。例えば、通信装置は、命令とデータとを示す信号を有するトランシーバを含み得る。命令及びデータは、１つ又は複数の処理ユニットに、特許請求の範囲で概説する機能を実装させるように構成される。すなわち、通信装置は、開示した機能を実行するための情報を示す信号をもつ伝送媒体を含む。初めに、通信装置中に含まれる伝送媒体は、開示した機能を実行するための情報の第１の部分を含み得、次に、通信装置中に含まれる伝送媒体は、開示した機能を実行するための情報の第２の部分を含み得る。
【００９５】
本開示の前述の説明は、いかなる当業者でも本開示を作成又は使用することができるように提供される。本開示への様々な修正が当業者には容易に理解されるであろうが、本明細書で定義した一般的な原理は、本開示の範囲から逸脱することなく他の変形形態に適用され得る。したがって、本開示は、本明細書で説明する例及び設計に限定されるものではなく、本明細書で開示する原理及び新規の特徴に合致する最も広い範囲を与えられるべきである。
【図１】
2014098702.tif 000005
【図２Ａ】
2014098702.tif 000006
【図２Ｂ】
2014098702.tif 000007
【図２Ｃ】
2014098702.tif 000008
【図２Ｄ】
2014098702.tif 000009
【図３】
2014098702.tif 000010
【図４Ａ】
2014098702.tif 000011
【図４Ｂ】
2014098702.tif 000012
【図５】
2014098702.tif 000013
【図６】
2014098702.tif 000014
【図７】
2014098702.tif 000015
【図８】
2014098702.tif 000016
【図９】
2014098702.tif 000017
【図１０】
2014098702.tif 000018
【図１１】
2014098702.tif 000019
【図１２】
2014098702.tif 000020
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
１つのメッセージ・トランザクション中で一緒にトランスポートされる複数の測位メッセージを交換することと、
前記複数の測位メッセージに基づいて測位を実行することと、
を備える方法。
【請求項２】
前記複数の測位メッセージを前記交換することが、リンクされたメッセージとして、又は単一のコンテナ・メッセージ中で前記複数の測位メッセージを送ることを備える請求項１に記載の方法。
【請求項３】
前記複数の測位メッセージを前記交換することが、リンクされたメッセージとして、又は単一のコンテナ・メッセージ中で送られた前記複数の測位メッセージを受信することを備える請求項１に記載の方法。
【請求項４】
前記複数の測位メッセージが、測位を開始するためにターゲット・デバイスによってモバイル発信型ロケーション要求（ＭＯ−ＬＲ）メッセージを用いて送られる請求項１に記載の方法。
【請求項５】
前記複数の測位メッセージが、ロケーション・サーバによって送られ、支援データを搬送する第１の測位メッセージと、ロケーション情報を要求する第２の測位メッセージとを備える請求項１に記載の方法。
【請求項６】
前記複数の測位メッセージが、ロケーション・サーバに送られ、支援データを要求する第１の測位メッセージと、測定値を搬送する第２の測位メッセージとを備える請求項１に記載の方法。
【請求項７】
前記複数の測位メッセージの各々が複数のメッセージ・タイプのうちの１つであり、前記複数のメッセージ・タイプが、能力要求メッセージ・タイプ、能力提供メッセージ・タイプ、支援データ要求メッセージ・タイプ、支援データ提供メッセージ・タイプ、ロケーション情報要求メッセージ・タイプ、及びロケーション情報提供メッセージ・タイプを備える請求項１に記載の方法。
【請求項８】
前記複数の測位メッセージが、少なくとも２つのメッセージ・タイプの測位メッセージを備える請求項１に記載の方法。
【請求項９】
ワイヤレス通信のための装置であって、
１つのメッセージ・トランザクション中で一緒にトランスポートされる複数の測位メッセージを交換するための手段と、
前記複数の測位メッセージに基づいて測位を実行するための手段と、
を備える装置。
【請求項１０】
前記複数の測位メッセージを交換するための前記手段が、リンクされたメッセージとして、又は単一のコンテナ・メッセージ中で前記複数の測位メッセージを送るための手段を備える請求項９に記載の装置。
【請求項１１】
前記複数の測位メッセージを交換するための前記手段が、リンクされたメッセージとして、又は単一のコンテナ・メッセージ中で送られた前記複数の測位メッセージを受信するための手段を備える請求項９に記載の装置。
【請求項１２】
前記複数の測位メッセージが、測位を開始するためにターゲット・デバイスによってモバイル発信型ロケーション要求（ＭＯ−ＬＲ）メッセージを用いて送られる請求項９に記載の装置。
【請求項１３】
ワイヤレス通信のための方法であって、
特定のトランザクション・タイプについての第１の部分と第２の部分とを備える測位メッセージを交換することであって、前記第１の部分が、第１の団体によって規定された測位のための第１の情報を備え、前記第２の部分が、第２の団体によって規定された測位のための第２の情報を備える、交換することと、
前記測位メッセージに基づいて測位を実行することと、
を備える方法。
【請求項１４】
前記測位メッセージを前記交換することが、ターゲット・デバイスからロケーション・サーバに、又は前記ロケーション・サーバから前記ターゲット・デバイスに前記測位メッセージを送ることを備える請求項１３に記載の方法。
【請求項１５】
前記測位メッセージを前記交換することが、ターゲット・デバイスからの前記測位メッセージをロケーション・サーバによって、又は前記ロケーション・サーバからの前記測位メッセージを前記ターゲット・デバイスによって受信することを備える請求項１３に記載の方法。
【請求項１６】
前記第１の団体が、「3rd Generation Partnership Project」（３ＧＰＰ）を備え、前記第２の団体が、「3rd Generation Partnership Project 2」（３ＧＰＰ２）、又はオープン・モバイル・アライアンス（ＯＭＡ）、又はInternet Engineering Task Force（ＩＥＴＦ）、又は米国電気電子技術者協会（ＩＥＥＥ）、又はネットワーク事業者、又は機器ベンダを備える請求項１３に記載の方法。
【請求項１７】
ワイヤレス通信のための装置であって、
特定のトランザクション・タイプについての第１の部分と第２の部分とを備える測位メッセージを交換するための手段であって、前記第１の部分が、第１の団体によって規定された測位のための第１の情報を備え、前記第２の部分が、第２の団体によって規定された測位のための第２の情報を備える、交換するための手段と、
前記測位メッセージに基づいて測位を実行するための手段と
を備える装置。
【請求項１８】
前記測位メッセージを交換するための前記手段が、ターゲット・デバイスからロケーション・サーバに、又は前記ロケーション・サーバから前記ターゲット・デバイスに前記測位メッセージを送るための手段を備える請求項１７に記載の装置。
【請求項１９】
前記測位メッセージを交換ための前記手段が、ターゲット・デバイスからの前記測位メッセージをロケーション・サーバによって、又は前記ロケーション・サーバからの前記測位メッセージを前記ターゲット・デバイスによって受信するための手段を備える請求項１７に記載の装置。
【請求項２０】
ワイヤレス通信のための方法であって、
複数の測位方法に適用可能な測定データ単位を交換することであって、前記複数の測位方法の各々が、適用可能な測定データ単位の異なるセットに関連する、交換することと、
前記交換された測定データ単位に基づき、測位方法に従って測位を実行することであって、前記測位方法が前記複数の測位方法のうちの１つである、実行することと、
を備える方法。
【請求項２１】
ワイヤレス通信のための方法であって、
複数の測位方法に適用可能な支援データ単位を交換することであって、前記複数の測位方法の各々が、適用可能な支援データ単位の異なるセットに関連する、交換することと、
前記交換された支援データ単位に基づき、測位方法に従って測位を実行することであって、前記測位方法が前記複数の測位方法のうちの１つである、実行することと、
を備える方法。
【手続補正２】
【補正対象書類名】明細書
【補正対象項目名】００９５
【補正方法】変更
【補正の内容】
【００９５】
本開示の前述の説明は、いかなる当業者でも本開示を作成又は使用することができるように提供される。本開示への様々な修正が当業者には容易に理解されるであろうが、本明細書で定義した一般的な原理は、本開示の範囲から逸脱することなく他の変形形態に適用され得る。したがって、本開示は、本明細書で説明する例及び設計に限定されるものではなく、本明細書で開示する原理及び新規の特徴に合致する最も広い範囲を与えられるべきである。
以下に、本願出願の当初の特許請求の範囲に記載された発明を付記する。
［Ｃ１］
ワイヤレス通信のための方法であって、
共通の測位プロトコルを介してロケーション・サーバによってターゲット・デバイスについての測位情報を取得することであって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、取得することと、
前記ロケーション・サーバによって前記ターゲット・デバイスについてのロケーション情報を判断することと、
を備える方法。
［Ｃ２］
前記測位情報が、少なくとも１つの基準ソースについての測定値を備え、前記ロケーション情報が、前記測定値に基づいて前記ロケーション・サーバによって判断された前記ターゲット・デバイスについてのロケーション推定値を備えるＣ１に記載の方法。
［Ｃ３］
前記測位情報が、前記ターゲット・デバイスのロケーションを示し、前記ロケーション情報が、前記測位情報に基づいて前記ロケーション・サーバによって判断された支援データを備えるＣ１に記載の方法。
［Ｃ４］
前記測位情報が、前記ターゲット・デバイスのロケーションにおいて受信され得る基準ソースの測定値を備え、前記ロケーション情報が、前記測位情報に基づいて前記ロケーション・サーバによって判断された支援データを備えるＣ１に記載の方法。
［Ｃ５］
前記ロケーション情報が支援データを備え、前記測位情報が、前記支援データに基づいて取得された測定値を備えるＣ１に記載の方法。
［Ｃ６］
前記ターゲット・デバイスについての前記測位情報が、少なくとも１つの衛星、又は少なくとも１つの基地局、又は少なくとも１つの端末、又は前記ターゲット・デバイス、又はそれらの組合せからの少なくとも１つの信号についての測定値を備えるＣ１に記載の方法。
［Ｃ７］
前記ロケーション・サーバがネットワーク・エンティティに属するＣ１に記載の方法。
［Ｃ８］
前記ロケーション・サーバが前記ターゲット・デバイスと共同設置されるＣ１に記載の方法。
［Ｃ９］
前記ターゲット・デバイスについての前記測位情報が、第２の複数の可能なエンティティのうちの１つに属する測位ユニットによって取得され、前記ターゲット・デバイスが、前記第２の複数の可能なエンティティのうちの１つであるＣ１に記載の方法。
［Ｃ１０］
前記共通の測位プロトコルを介して前記ロケーション・サーバによって前記測位ユニットと通信すること、
をさらに備えるＣ９に記載の方法。
［Ｃ１１］
前記共通の測位プロトコルを介して前記測位ユニットと、能力、又は支援データ、又はロケーション情報、又はそれらの組合せを交換すること、
をさらに備えるＣ９に記載の方法。
［Ｃ１２］
ワイヤレス通信のための装置であって、
共通の測位プロトコルを介してロケーション・サーバによってターゲット・デバイスについての測位情報を取得するための手段であって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、取得するための手段と、
前記ロケーション・サーバによって前記ターゲット・デバイスについてのロケーション情報を判断するための手段と、
を備える装置。
［Ｃ１３］
前記ターゲット・デバイスについての前記測位情報が、第２の複数の可能なエンティティのうちの１つに属する測位ユニットによって取得され、前記ターゲット・デバイスが、前記第２の複数の可能なエンティティのうちの１つであるＣ１２に記載の装置。
［Ｃ１４］
前記共通の測位プロトコルを介して前記測位ユニットと、能力、又は支援データ、又はロケーション情報、又はそれらの組合せを交換するための手段、
をさらに備えるＣ１３に記載の装置。
［Ｃ１５］
ワイヤレス通信のための装置であって、
共通の測位プロトコルを介してロケーション・サーバによってターゲット・デバイスについての測位情報を取得することと、前記ロケーション・サーバによって前記ターゲット・デバイスについてのロケーション情報を判断することとを行うように構成された少なくとも１つの処理ユニットを備え、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである装置。
［Ｃ１６］
前記ターゲット・デバイスについての前記測位情報が、第２の複数の可能なエンティティのうちの１つに属する測位ユニットによって取得され、前記ターゲット・デバイスが、前記第２の複数の可能なエンティティのうちの１つであるＣ１５に記載の装置。
［Ｃ１７］
前記少なくとも１つの処理ユニットが、前記共通の測位プロトコルを介して前記測位ユニットと、能力、又は支援データ、又はロケーション情報、又はそれらの組合せを交換するように構成された、Ｃ１６に記載の装置。
［Ｃ１８］
少なくとも１つのコンピュータに、共通の測位プロトコルを介してロケーション・サーバによってターゲット・デバイスについての測位情報を取得させるコードであって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、コードと、
前記少なくとも１つのコンピュータに、前記ロケーション・サーバによって前記ターゲット・デバイスについてのロケーション情報を判断させるコードと、
を備えるコンピュータ可読媒体。
［Ｃ１９］
ワイヤレス通信のための方法であって、
共通の測位プロトコルを介してターゲット・デバイスについての測位情報をロケーション・サーバに送ることであって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、送ることと、
前記ロケーション・サーバから前記ターゲット・デバイスについてのロケーション情報を受信することと、
を備える方法。
［Ｃ２０］
測位情報を前記送ることと、ロケーション情報を前記受信することとが、前記ターゲット・デバイスによって実行されるＣ１９に記載の方法。
［Ｃ２１］
測位情報を前記送ることと、ロケーション情報を前記受信することとが、前記ターゲット・デバイスの外部の測位ユニットによって実行されるＣ１９に記載の方法。
［Ｃ２２］
前記ターゲット・デバイスについての測定値を取得するために、前記ターゲット・デバイスにおいて少なくとも１つの基準ソースからの少なくとも１つの信号を測定することをさらに備え、前記少なくとも１つの基準ソースが、少なくとも１つの衛星、又は少なくとも１つの基地局、又は少なくとも１つの端末、又はそれらの組合せを備え、前記測位情報が前記測定値を備えるＣ１９に記載の方法。
［Ｃ２３］
前記ターゲット・デバイスについての測定値を取得するために、測位ユニットにおいて前記ターゲット・デバイスからの信号を測定することをさらに備え、前記測位ユニットが前記ターゲット・デバイスの外部にあり、前記測位情報が前記測定値を備える、
Ｃ１９に記載の方法。
［Ｃ２４］
ワイヤレス通信のための装置であって、
共通の測位プロトコルを介してターゲット・デバイスについての測位情報をロケーション・サーバに送るための手段であって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、送るための手段と、
前記ロケーション・サーバから前記ターゲット・デバイスについてのロケーション情報を受信するための手段と、
を備える装置。
［Ｃ２５］
前記ターゲット・デバイスについての測定値を取得するために、前記ターゲット・デバイスにおいて少なくとも１つの基準ソースからの少なくとも１つの信号を測定するための手段をさらに備え、前記少なくとも１つの基準ソースが、少なくとも１つの衛星、又は少なくとも１つの基地局、又は少なくとも１つの端末、又はそれらの組合せを備え、前記測位情報が前記測定値を備えるＣ２４に記載の装置。
［Ｃ２６］
前記ターゲット・デバイスについての測定値を取得するために、測位ユニットにおいて前記ターゲット・デバイスからの信号を測定するための手段をさらに備え、前記測位ユニットが前記ターゲット・デバイスの外部にあり、前記測位情報が前記測定値を備えるＣ２４に記載の装置。
［Ｃ２７］
ワイヤレス通信のための方法であって、
１つのメッセージ・トランザクション中で一緒にトランスポートされる複数の測位メッセージを交換することと、
前記複数の測位メッセージに基づいて測位を実行することと、
を備える方法。
［Ｃ２８］
前記複数の測位メッセージを前記交換することが、リンクされたメッセージとして、又は単一のコンテナ・メッセージ中で前記複数の測位メッセージを送ることを備えるＣ２７に記載の方法。
［Ｃ２９］
前記複数の測位メッセージを前記交換することが、リンクされたメッセージとして、又は単一のコンテナ・メッセージ中で送られた前記複数の測位メッセージを受信することを備えるＣ２７に記載の方法。
［Ｃ３０］
前記複数の測位メッセージが、測位を開始するためにターゲット・デバイスによってモバイル発信型ロケーション要求（ＭＯ−ＬＲ）メッセージを用いて送られるＣ２７に記載の方法。
［Ｃ３１］
前記複数の測位メッセージが、ロケーション・サーバによって送られ、支援データを搬送する第１の測位メッセージと、ロケーション情報を要求する第２の測位メッセージとを備えるＣ２７に記載の方法。
［Ｃ３２］
前記複数の測位メッセージが、ロケーション・サーバに送られ、支援データを要求する第１の測位メッセージと、測定値を搬送する第２の測位メッセージとを備えるＣ２７に記載の方法。
［Ｃ３３］
前記複数の測位メッセージの各々が複数のメッセージ・タイプのうちの１つであり、前記複数のメッセージ・タイプが、能力要求メッセージ・タイプ、能力提供メッセージ・タイプ、支援データ要求メッセージ・タイプ、支援データ提供メッセージ・タイプ、ロケーション情報要求メッセージ・タイプ、及びロケーション情報提供メッセージ・タイプを備えるＣ２７に記載の方法。
［Ｃ３４］
前記複数の測位メッセージが、少なくとも２つのメッセージ・タイプの測位メッセージを備えるＣ２７に記載の方法。
［Ｃ３５］
ワイヤレス通信のための装置であって、
１つのメッセージ・トランザクション中で一緒にトランスポートされる複数の測位メッセージを交換するための手段と、
前記複数の測位メッセージに基づいて測位を実行するための手段と、
を備える装置。
［Ｃ３６］
前記複数の測位メッセージを交換するための前記手段が、リンクされたメッセージとして、又は単一のコンテナ・メッセージ中で前記複数の測位メッセージを送るための手段を備えるＣ３５に記載の装置。
［Ｃ３７］
前記複数の測位メッセージを交換するための前記手段が、リンクされたメッセージとして、又は単一のコンテナ・メッセージ中で送られた前記複数の測位メッセージを受信するための手段を備えるＣ３５に記載の装置。
［Ｃ３８］
前記複数の測位メッセージが、測位を開始するためにターゲット・デバイスによってモバイル発信型ロケーション要求（ＭＯ−ＬＲ）メッセージを用いて送られるＣ３５に記載の装置。
［Ｃ３９］
ワイヤレス通信のための方法であって、
特定のトランザクション・タイプについての第１の部分と第２の部分とを備える測位メッセージを交換することであって、前記第１の部分が、第１の団体によって規定された測位のための第１の情報を備え、前記第２の部分が、第２の団体によって規定された測位のための第２の情報を備える、交換することと、
前記測位メッセージに基づいて測位を実行することと、
を備える方法。
［Ｃ４０］
前記測位メッセージを前記交換することが、ターゲット・デバイスからロケーション・サーバに、又は前記ロケーション・サーバから前記ターゲット・デバイスに前記測位メッセージを送ることを備えるＣ３９に記載の方法。
［Ｃ４１］
前記測位メッセージを前記交換することが、ターゲット・デバイスからの前記測位メッセージをロケーション・サーバによって、又は前記ロケーション・サーバからの前記測位メッセージを前記ターゲット・デバイスによって受信することを備えるＣ３９に記載の方法。
［Ｃ４２］
前記第１の団体が、「3rd Generation Partnership Project」（３ＧＰＰ）を備え、前記第２の団体が、「3rd Generation Partnership Project 2」（３ＧＰＰ２）、又はオープン・モバイル・アライアンス（ＯＭＡ）、又はInternet Engineering Task Force（ＩＥＴＦ）、又は米国電気電子技術者協会（ＩＥＥＥ）、又はネットワーク事業者、又は機器ベンダを備えるＣ３９に記載の方法。
［Ｃ４３］
ワイヤレス通信のための装置であって、
特定のトランザクション・タイプについての第１の部分と第２の部分とを備える測位メッセージを交換するための手段であって、前記第１の部分が、第１の団体によって規定された測位のための第１の情報を備え、前記第２の部分が、第２の団体によって規定された測位のための第２の情報を備える、交換するための手段と、
前記測位メッセージに基づいて測位を実行するための手段と
を備える装置。
［Ｃ４４］
前記測位メッセージを交換するための前記手段が、ターゲット・デバイスからロケーション・サーバに、又は前記ロケーション・サーバから前記ターゲット・デバイスに前記測位メッセージを送るための手段を備えるＣ４３に記載の装置。
［Ｃ４５］
前記測位メッセージを交換ための前記手段が、ターゲット・デバイスからの前記測位メッセージをロケーション・サーバによって、又は前記ロケーション・サーバからの前記測位メッセージを前記ターゲット・デバイスによって受信するための手段を備えるＣ４３に記載の装置。
［Ｃ４６］
ワイヤレス通信のための方法であって、
複数の測位方法に適用可能な測定データ単位を交換することであって、前記複数の測位方法の各々が、適用可能な測定データ単位の異なるセットに関連する、交換することと、
前記交換された測定データ単位に基づき、測位方法に従って測位を実行することであって、前記測位方法が前記複数の測位方法のうちの１つである、実行することと、
を備える方法。
［Ｃ４７］
ワイヤレス通信のための方法であって、
複数の測位方法に適用可能な支援データ単位を交換することであって、前記複数の測位方法の各々が、適用可能な支援データ単位の異なるセットに関連する、交換することと、
前記交換された支援データ単位に基づき、測位方法に従って測位を実行することであって、前記測位方法が前記複数の測位方法のうちの１つである、実行することと、
を備える方法。
【外国語明細書】
2014098702000001.pdf